(57)【要約】      （修正有）【課題】多重コンポーネントキャリアが構成されるとき、ブラインド復号中に制御チャネルの誤検出を低減することを可能にするシステム及び方法を提供する。【解決手段】ＵＥ（ユーザ機器）は、複数のキャリア上の制御チャネルのブラインド検出を実行する。検出された各制御チャネルは、誤検出を低減するために検証される。基準キャリアが選択され、１つ又は複数の検出された制御チャネルは、１つの検出された制御チャネルが基準キャリア上にある限り、検証される。また、制御チャネルは、複数の制御チャネル検出が検証のために必要とされるようにバンドルされる。さらに、ブラインド復号中にＵＥにガイダンスを与え、検出の検証を与えるダミー制御チャネルが導入される。さらに、基準キャリア、バンドリング、及び／又はダミー制御チャネルの組合せが利用される。【選択図】図１
2015111866.tif 000002
【特許請求の範囲】
【請求項１】
複数のコンポーネントキャリアのうちの少なくとも１つのコンポーネントキャリア上でブラインド検出を実行することであって、ブラインド検出が、前記少なくとも１つのコンポーネントキャリア上の制御チャネルを検出しようと試みる、実行することと、
制御チャネル検出の数と、それぞれ各制御チャネル検出に関連するコンポーネントキャリア識別情報とを識別することと、
制御チャネル検出の前記数または前記コンポーネントキャリア識別情報のうちの少なくとも１つに基づいて、検出された制御チャネルを受け付けるべきかどうかを判断することと
を備える、方法。
【請求項２】
前記複数のコンポーネントキャリアのうちのコンポーネントキャリアを基準キャリアに指定することと、
制御チャネル検出に関連する前記コンポーネントキャリア識別情報が前記基準キャリアを示すとき、検出された制御チャネルを受け付けることと
をさらに備える、請求項１に記載の方法。
【請求項３】
前記基準キャリアが構成メッセージ中で指定される、請求項２に記載の方法。
【請求項４】
前記基準キャリアが、ユーザ機器（ＵＥ）識別子、セル識別子、サブフレーム番号、システムフレーム番号、またはハイブリッドＡＲＱプロセス番号のうちの少なくとも１つに基づいて動的に選択される、請求項２に記載の方法。
【請求項５】
前記複数のコンポーネントキャリア中の各コンポーネントキャリアが循環して前記基準キャリアになり、各コンポーネントキャリアが所定の数のサブフレーム後に前記基準キャリアとして機能する、請求項２に記載の方法。
【請求項６】
制御チャネル検出の前記数が２つ以上の検出を示し、それぞれのコンポーネントキャリア識別情報が非基準キャリアを示すとき、検出された制御チャネルを検証すること
をさらに備える、請求項２に記載の方法。
【請求項７】
前記２つ以上の検出のうちの１つがダミー制御チャネルである、請求項６に記載の方法。
【請求項８】
前記基準キャリア上でブラインド検出を実行することと、
制御チャネルが前記基準キャリア上で発見されないとき、ダミー制御チャネルを探索することと、
前記ダミー制御チャネルが検出されたとき、非基準キャリア上でブラインド検出を続けることと
をさらに備える、請求項２に記載の方法。
【請求項９】
制御チャネル検出の前記数が２つ以上の検出を示すとき、検出された制御チャネルを受け付けること
をさらに備える、請求項１に記載の方法。
【請求項１０】
前記２つ以上の検出のうちの１つがダミー制御チャネルである、請求項９に記載の方法。
【請求項１１】
前記複数のコンポーネントキャリア上のダミー制御チャネルを探索することと、
前記ダミー制御チャネルが発見されたとき、制御チャネル検出を受け付けることと
をさらに備える、請求項１に記載の方法。
【請求項１２】
前記ダミー制御チャネルは、ＵＥがスケジュールされているコンポーネントキャリアの数を指定するパラメータを含む、請求項１１に記載の方法。
【請求項１３】
前記ダミー制御チャネルは、複数のＵＥのうちの各ＵＥについて、前記ＵＥがスケジュールされているかどうかを示すビットマップを含む、請求項１１に記載の方法。
【請求項１４】
複数のキャリア上でブラインド検出を実行することであって、ブラインド検出が、前記複数のキャリア上の少なくとも１つの制御チャネルを検出するために複数の候補制御チャネルを復号しようと試みる、実行することと、
制御チャネルが基準キャリア上で検出されるか、２つ以上の制御チャネルが非基準キャリア上で検出されるか、またはダミー制御チャネルが非ダミー制御チャネルとともに検出されるかのうちの少なくとも１つのとき、検出された制御チャネルを受け付けることと  を行うように構成された少なくとも１つのプロセッサ
を備える、ワイヤレス通信装置。
【請求項１５】
前記少なくとも１つのプロセッサが、
前記複数のキャリアの中から前記基準キャリアを指定することと、
前記基準キャリアからブラインド検出を開始することと
を行うようにさらに構成された、請求項１４に記載のワイヤレス通信装置。
【請求項１６】
前記少なくとも１つのプロセッサが、前記複数のキャリア上の前記ダミー制御チャネルを探索するようにさらに構成された、請求項１４に記載のワイヤレス通信装置。
【請求項１７】
前記少なくとも１つのプロセッサは、前記ワイヤレス通信装置がサブフレーム上にスケジュールされているかどうかを判断するために前記ダミー制御チャネルを評価するようにさらに構成された、請求項１６に記載のワイヤレス通信装置。
【請求項１８】
複数のキャリアのうちの少なくとも１つのキャリア上でブラインド検出を試みるための手段であって、ブラインド検出が、前記少なくとも１つのキャリア上の制御チャネルを検出しようと試みる、試みるための手段と、
検出された制御チャネルの数、制御チャネルが検出されたキャリア、または検出された制御チャネルのタイプのうちの少なくとも１つに基づいて有効な制御チャネルを識別するための手段と
を備える、装置。
【請求項１９】
前記複数のキャリアから基準キャリアを選択するための手段であって、ブラインド検出が前記基準キャリア上で開始する、選択するための手段をさらに備える、請求項１８に記載の装置。
【請求項２０】
少なくとも１つの制御チャネルが前記基準キャリア上で検出されたとき、有効な制御チャネルを識別するための前記手段が、検出された制御チャネルを受け付ける、請求項１９に記載の装置。
【請求項２１】
ダミー制御チャネルを検出するための手段であって、前記ダミー制御チャネルの検出が他の制御チャネル検出を検証する、検出するための手段
をさらに備える、請求項１８に記載の装置。
【請求項２２】
有効な制御チャネルを識別するための前記手段は、２つ以上の制御チャネルが検出されたとき、検出された制御チャネルを受け付ける、請求項１８に記載の装置。
【請求項２３】
前記２つ以上の制御チャネルが非基準キャリアに関連する、請求項２２に記載の装置。
【請求項２４】
前記２つ以上の制御チャネルのうちの１つがダミー制御チャネルである、請求項２２に記載の装置。
【請求項２５】
少なくとも１つのコンピュータに、複数のキャリア上でブラインド検出を実装させるためのコードであって、ブラインド検出が、前記複数のキャリア上の少なくとも１つの制御チャネルを検出するために複数の候補制御チャネルを復号しようと試みる、実装させるためのコードと、
前記少なくとも１つのコンピュータに、制御チャネルが基準キャリア上で検出されるか、２つ以上の制御チャネルが非基準キャリア上で検出されるか、またはダミー制御チャネルが非ダミー制御チャネルとともに検出されるかのうちの少なくとも１つのとき、検出された制御チャネルを検証させるためのコードと
を備える、コンピュータ可読媒体
を備える、コンピュータプログラム製品。
【請求項２６】
前記コンピュータ可読媒体が、
前記少なくとも１つのコンピュータに、前記複数のキャリアの中から前記基準キャリアを選択させるためのコードと、
前記少なくとも１つのコンピュータに、前記基準キャリアからブラインド検出を開始させるためのコードと
をさらに備える、請求項２５に記載のコンピュータプログラム製品。
【請求項２７】
前記コンピュータ可読媒体が、前記少なくとも１つのコンピュータに、前記複数のキャリア上の前記ダミー制御チャネルを探索させるためのコードをさらに備える、請求項２５に記載のコンピュータプログラム製品。
【請求項２８】
前記コンピュータ可読媒体が、前記少なくとも１つのコンピュータに、モバイルデバイスがサブフレーム上にスケジュールされているかどうかを判断するために前記ダミー制御チャネルを評価させるためのコードをさらに備える、請求項２７に記載のコンピュータプログラム製品。
【請求項２９】
１つまたは複数のコンポーネントキャリア上の制御チャネルのブラインド検出を実行する検出モジュールと、
前記１つまたは複数のコンポーネントキャリア上の検出された制御チャネルが有効な制御チャネルであるかどうかを判断する妥当性評価モジュールと
を備える、装置。
【請求項３０】
前記１つまたは複数のコンポーネントキャリアから基準キャリアを選択するキャリア構成モジュール
をさらに備える、請求項２９に記載の装置。
【請求項３１】
前記妥当性評価モジュールは、少なくとも１つの制御チャネルが前記基準キャリア上にあるとき、前記検出された制御チャネルを検証する、請求項３０に記載の装置。
【請求項３２】
前記妥当性評価モジュールは、２つ以上の制御チャネルが検出されたとき、前記検出された制御チャネルを検証する、請求項２９に記載の装置。
【請求項３３】
前記２つ以上の制御チャネルが非基準キャリアに関連する、請求項３２に記載の装置。
【請求項３４】
前記検出モジュールが、ダミー制御チャネルを検出するように構成された、請求項２９に記載の装置。
【請求項３５】
前記妥当性評価モジュールは、前記ダミー制御チャネルと組み合わせて検出されたとき、制御チャネルを検証する、請求項３４に記載の装置。
【請求項３６】
複数のキャリアのうちの１つまたは複数のコンポーネントキャリアのサブフレーム上にモバイルデバイスをスケジュールすることと、
スケジューリング情報を含むダウンリンク制御情報を生成することと、
前記ダウンリンク制御情報を前記１つまたは複数のコンポーネントキャリアの前記サブフレーム中の１つまたは複数の制御チャネルに組み込むことであって、前記ダウンリンク制御情報を組み込むことが、基準キャリア、制御チャネルバンドリング、またはダミー制御チャネルのうちの少なくとも１つを実装することを備える、組み込むことと
を備える、方法。
【請求項３７】
前記複数のキャリアから前記基準キャリアを指定する構成メッセージを送信することをさらに備える、請求項３６に記載の方法。
【請求項３８】
前記ダウンリンク制御情報を組み込むことが、少なくとも１つの制御チャネルを前記基準キャリアにマッピングすることを備える、請求項３６に記載の方法。
【請求項３９】
前記ダウンリンク制御情報を組み込むことが、前記ダウンリンク制御情報を非基準キャリア上の２つ以上の制御チャネルに組み込むことを備える、請求項３６に記載の方法。
【請求項４０】
前記ダミー制御チャネルを生成することと、
前記ダミー制御チャネルを前記サブフレームに組み込むことと
をさらに備える、請求項３６に記載の方法。
【請求項４１】
前記ダミー制御チャネルは、前記モバイルデバイスがスケジュールされているコンポーネントキャリアの数を指定するパラメータを含む、請求項３６に記載の方法。
【請求項４２】
前記ダミー制御チャネルは、複数のＵＥのうちの各ＵＥについて、前記ＵＥがスケジュールされているかどうかを示すビットマップを含む、請求項３６に記載の方法。
【請求項４３】
複数のキャリアのうちの１つまたは複数のコンポーネントキャリアのサブフレーム上にモバイルデバイスをスケジュールすることと、
スケジューリング情報を含むダウンリンク制御情報を生成することと、
基準キャリア、制御チャネルバンドリング、またはダミー制御チャネルのうちの少なくとも１つの実装を通して、前記ダウンリンク制御情報を前記１つまたは複数のコンポーネントキャリアの前記サブフレーム中の１つまたは複数の制御チャネルにマッピングすることと
を行うように構成された少なくとも１つのプロセッサ
を備える、ワイヤレス通信装置。
【請求項４４】
前記少なくとも１つのプロセッサが、前記複数のキャリアから前記基準キャリアを指定する構成メッセージを送るようにさらに構成された、請求項４３に記載のワイヤレス通信装置。
【請求項４５】
前記少なくとも１つのプロセッサが、前記ダウンリンク制御情報を前記基準キャリア上の制御チャネルに組み込むようにさらに構成された、請求項４３に記載のワイヤレス通信装置。
【請求項４６】
前記少なくとも１つのプロセッサが、前記ダウンリンク制御情報を非基準キャリア上の２つ以上の制御チャネルに組み込むようにさらに構成された、請求項４３に記載のワイヤレス通信装置。
【請求項４７】
前記少なくとも１つのプロセッサが、
前記ダミー制御チャネルを生成することと、
前記１つまたは複数の制御チャネルに加えて前記ダミー制御チャネルを前記サブフレームに組み込むことと
を行うようにさらに構成された、請求項４３に記載のワイヤレス通信装置。
【請求項４８】
複数のキャリアのうちの１つまたは複数のコンポーネントキャリアのサブフレーム上にモバイルデバイスをスケジュールするための手段と、
スケジューリング情報を含むダウンリンク制御情報を生成するための手段と、
前記ダウンリンク制御情報を前記１つまたは複数のコンポーネントキャリアの前記サブフレーム中の１つまたは複数の制御チャネルに組み込むための手段であって、ダウンリンク制御情報を組み込むための手段が、基準キャリア、制御チャネルバンドリング、またはダミー制御チャネルのうちの少なくとも１つを実装するための手段を備える、組み込むための手段と
を備える、装置。
【請求項４９】
前記ダウンリンク制御情報を組み込むための前記手段が、少なくとも１つの制御チャネルを前記基準キャリアにマッピングするための手段を備える、請求項４８に記載の装置。
【請求項５０】
前記ダウンリンク制御情報を組み込むための前記手段が、前記ダウンリンク制御情報を非基準キャリア上の２つ以上の制御チャネルにマッピングするための手段を備える、請求項４８に記載の装置。
【請求項５１】
前記ダミー制御チャネルを生成するための手段と、
前記ダミー制御チャネルを前記サブフレームにマッピングするための手段と
をさらに備える、請求項４８に記載の装置。
【請求項５２】
少なくとも１つのコンピュータに、複数のキャリアのうちの１つまたは複数のコンポーネントキャリアのサブフレーム上にモバイルデバイスをスケジュールさせるためのコードと、
前記少なくとも１つのコンピュータに、スケジューリング情報を含むダウンリンク制御情報を生成させるためのコードと、
前記少なくとも１つのコンピュータに、基準キャリア、制御チャネルバンドリング、またはダミー制御チャネルのうちの少なくとも１つの実装を通して、前記ダウンリンク制御情報を前記１つまたは複数のコンポーネントキャリアの前記サブフレーム中の１つまたは複数の制御チャネルにマッピングさせるためのコードと
を備える、コンピュータ可読媒体
を備える、コンピュータプログラム製品。
【請求項５３】
前記コンピュータ可読媒体が、前記少なくとも１つのコンピュータに、前記ダウンリンク制御情報を前記基準キャリア上の制御チャネルに組み込ませるためのコードをさらに備える、請求項５２に記載のコンピュータプログラム製品。
【請求項５４】
前記コンピュータ可読媒体が、前記少なくとも１つのコンピュータに、前記ダウンリンク制御情報を非基準キャリア上の２つ以上制御チャネルに組み込ませるためのコードをさらに備える、請求項５２に記載のコンピュータプログラム製品。
【請求項５５】
前記コンピュータ可読媒体が、
前記少なくとも１つのコンピュータに、前記ダミー制御チャネルを生成させるためのコードと、
前記少なくとも１つのコンピュータに、前記１つまたは複数の制御チャネルに加えて前記ダミー制御チャネルを前記サブフレームに組み込ませるためのコードと
をさらに備える、請求項５２に記載のコンピュータプログラム製品。
【請求項５６】
スケジューリング情報をダウンリンク制御情報フォーマットに統合する制御チャネルモジュールと、
第１のダウンリンク制御情報パケットを基準キャリアにマッピングする基準キャリアモジュールと、
ダミー制御チャネルを与えるダミー生成モジュールと、
２つ以上の制御チャネルを非基準キャリア上にグループ化するバンドリングモジュールと
を備える、装置。
【請求項５７】
複数のキャリアのうちの１つまたは複数のコンポーネントキャリアのサブフレーム上にモバイルデバイスをスケジュールするスケジューラをさらに備える、請求項５６に記載の装置。
【請求項５８】
モバイルデバイスによって監視される構成要素キャリアをアクティブにするか、または非アクティブにするかのうちの少なくとも１つを行うキャリア構成モジュールをさらに備える、請求項５６に記載の装置。
【請求項５９】
誤検出低減モードを選択するシグナリング構成モジュールをさらに備え、前記制御チャネル構成モジュールが、誤検出低減モードに基づいて前記基準キャリアモジュール、前記ダミー生成モジュール、または前記バンドリングモジュールのうちの少なくとも１つを採用する、請求項５６に記載の装置。
【発明の詳細な説明】
【技術分野】
【０００１】
米国特許法第１１９条に基づく優先権の主張
本特許出願は、２００９年４月３０日に出願された「FALSE DETECTION REDUCTION IN MULTI-CARRIER OPERATION」と題する米国仮出願第６１／１７４，４３９号の優先権を主張する。上述の米国仮出願は、本出願の譲受人に譲渡され、それらの全文が参照により本明細書に明確に組み込まれる。
【０００２】
以下の説明は、一般にワイヤレス通信システムに関し、より詳細には、複数のキャリアで構成されたワイヤレス通信システムにおいて制御チャネルの誤検出を低減することに関する。
【背景技術】
【０００３】
ワイヤレス通信システムは、ボイス、データなど様々なタイプの通信コンテンツを提供するために広く展開されている。典型的なワイヤレス通信システムは、利用可能なシステムリソース（たとえば、帯域幅、送信電力、．．．）を共有することによって複数のユーザとの通信をサポートすることが可能な多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。さらに、これらのシステムは、ｔｈｉｒｄ  ｇｅｎｅｒａｔｉｏｎ  ｐａｒｔｎｅｒｓｈｉｐ  ｐｒｏｊｅｃｔ（３ＧＰＰ）、３ＧＰＰ２、高速パケットアクセス（ＨＳＰＡ）、高速ダウンリンクパケットアクセス（ＨＳＤＰＡ）、高速アップリンクパケットアクセス（ＨＳＵＰＡ）、３ＧＰＰ  ｌｏｎｇ−ｔｅｒｍ  ｅｖｏｌｕｔｉｏｎ（ＬＴＥ）、ＬＴＥ  Ａｄｖａｎｃｅｄ（ＬＴＥ−Ａ）などの仕様に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。
【０００５】
ワイヤレス通信の普及が引き続き進むにつれて、消費者は、追加の特徴およびより良いパフォーマンスを必要とする。そのような特徴は、高データレートを必要とすることがあり、高データレートは、ワイヤレス通信システムの限られた帯域幅、電力制約、および／または干渉制約内で確実に達成することは困難であり得る。無線機器（たとえば、送信機および受信機）の複雑さに対する大きい影響なしに帯域幅を増加する（たとえば、帯域幅を広げる）１つのオプションは、キャリアアグリゲーションを実装することである。キャリアアグリゲーションを用いて、多重コンポーネントキャリアは、全体的により広いシステム帯域幅を生じるようにアグリゲートまたはグループ化され得る。各コンポーネントキャリアは、制御チャネルおよびトラフィックチャネルをもつ完全なダウンリンクおよびアップリンクを含むことができる。したがって、各コンポーネントキャリアは、ワイヤレス通信技術の個々の展開のように見えることができる。
【０００６】
ワイヤレス通信デバイス（たとえば、基地局、モバイル端末など）は、多重コンポーネントキャリアを利用してデータを送信するように構成され得る。たとえば、基地局およびモバイル端末は、複数のキャリアのダウンリンク上でデータをそれぞれ送信および受信するように構成され得る。さらに、モバイル端末は、複数のアップリンクキャリア上で複数のアップリンク周波数を利用するように構成され得る。したがって、より高いデータレートおよびより大きい全体的なスループットが、機器の複雑さに対する大きい影響なしに達成され得る。
【発明の概要】
【０００７】
以下で、１つまたは複数の実施形態の基本的な理解を与えるために、そのような実施形態の簡略化された概要を提示する。この概要は、すべての企図される実施形態の包括的な概観ではなく、すべての実施形態の主要または重要な要素を識別するものでも、いずれかまたはすべての実施形態の範囲を定めるものでもない。その唯一の目的は、後で提示するより詳細な説明の導入として、１つまたは複数の実施形態のいくつかの概念を簡略化された形式で提示することである。
【０００８】
１つまたは複数の実施形態およびその対応する開示に従って、多重コンポーネントキャリアが構成されるとき、ブラインド復号中に制御チャネルの誤検出の低減を可能にすることに関して、様々な態様について説明する。ＵＥは、複数のキャリア上の制御チャネルのブラインド検出を実行することができ、検出された各制御チャネルは、誤検出を低減するために検証され得る。一態様では、基準キャリアが選択され得、１つまたは複数の検出された制御チャネルは、１つの検出された制御チャネルが基準キャリア上にある限り、検証される。別の態様では、制御チャネルは、複数の制御チャネル検出が検証のために必要とされるようにバンドルされ得る。さらに、ブラインド復号中にＵＥにガイダンスを与え、ならびに検出の検証を与えるダミー制御チャネルが導入され得る。さらに、基準キャリア、バンドリング、および／またはダミー制御チャネルの様々な組合せが利用され得る。
【０００９】
関係する態様によれば、複数のコンポーネントキャリアのうちの少なくとも１つのコンポーネントキャリア上でブラインド検出を実行することであって、ブラインド検出が、少なくとも１つのコンポーネントキャリア上の制御チャネルを検出しようと試みる、実行することを含むことができる方法について、本明細書で説明する。さらに、本方法は、制御チャネル検出の数と、それぞれ各制御チャネル検出に関連するコンポーネントキャリア識別情報とを識別することを含むことができる。さらに、本方法は、制御チャネル検出の数またはコンポーネントキャリア識別情報のうちの少なくとも１つに基づいて、検出された制御チャネルを受け付けるべきかどうかを判断することを含むことができる。
【００１０】
別の態様は、ワイヤレス通信装置に関する。本ワイヤレス通信装置は、複数のキャリア上でブラインド検出を実行するように構成された少なくとも１つのプロセッサを含むことができ、ブラインド検出が、複数のキャリア上の少なくとも１つの制御チャネルを検出するために複数の候補制御チャネルを復号しようと試みる。さらに、少なくとも１つのプロセッサは、制御チャネルが基準キャリア上で検出されるか、２つ以上の制御チャネルが非基準キャリア上で検出されるか、またはダミー制御チャネルが非ダミー制御チャネルとともに検出されるかのうちの少なくとも１つのとき、検出された制御チャネルを受け付けるように構成され得る。
【００１１】
さらに別の態様は、複数のキャリアのうちの少なくとも１つのキャリア上でブラインド検出を試みるための手段であって、ブラインド検出が、少なくとも１つのキャリア上の制御チャネルを検出しようと試みる、試みるための手段を含むことができる装置に関する。さらに、本装置は、検出された制御チャネルの数、制御チャネルが検出されたキャリア、または検出された制御チャネルのタイプのうちの少なくとも１つに基づいて有効な制御チャネルを識別するための手段を含むことができる。
【００１２】
さらに別の態様は、コンピュータ可読媒体を備えることができるコンピュータプログラム製品に関する。本コンピュータ可読媒体は、少なくとも１つのコンピュータに、複数のキャリア上でブラインド検出を実装させるためのコードであって、ブラインド検出が、複数のキャリア上の少なくとも１つの制御チャネルを検出するために複数の候補制御チャネルを復号しようと試みる、実装させるためのコードを含むことができる。さらに、本コンピュータ可読媒体は、少なくとも１つのコンピュータに、制御チャネルが基準キャリア上で検出されるか、２つ以上の制御チャネルが非基準キャリア上で検出されるか、またはダミー制御チャネルが非ダミー制御チャネルとともに検出されるかのうちの少なくとも１つのとき、検出された制御チャネルを検証させるためのコードを含むことができる。
【００１３】
別の態様によれば、装置について説明する。本装置は、１つまたは複数のコンポーネントキャリア上の制御チャネルのブラインド検出を実行する検出モジュールを含むことができる。さらに、本装置は、１つまたは複数のコンポーネントキャリア上の検出された制御チャネルが有効な制御チャネルであるかどうかを判断する妥当性評価モジュールを含むことができる。
【００１４】
他の態様によれば、複数のキャリアのうちの１つまたは複数のコンポーネントキャリアのサブフレーム上にモバイルデバイスをスケジュールすることを含むことができる方法について説明する。さらに、本方法は、スケジューリング情報を含むダウンリンク制御情報を生成することを含むことができる。さらに、本方法は、ダウンリンク制御情報を１つまたは複数のコンポーネントキャリアのサブフレーム中の１つまたは複数の制御チャネルに組み込むことであって、ダウンリンク制御情報を組み込むことが、基準キャリア、制御チャネルバンドリング、またはダミー制御チャネルのうちの少なくとも１つを実装することを備える、組み込むことを含むことができる。
【００１５】
別の態様は、少なくとも１つのプロセッサを備えるワイヤレス通信態様に関し、本少なくとも１つのプロセッサは、複数のキャリアのうちの１つまたは複数のコンポーネントキャリアのサブフレーム上にモバイルデバイスをスケジュールするように構成され得る。本少なくとも１つのプロセッサは、スケジューリング情報を含むダウンリンク制御情報を生成するようにさらに構成され得る。さらに、本少なくとも１つのプロセッサは、基準キャリア、制御チャネルバンドリング、またはダミー制御チャネルのうちの少なくとも１つの実装を通して、ダウンリンク制御情報を１つまたは複数のコンポーネントキャリアのサブフレーム中の１つまたは複数の制御チャネルにマッピングするように構成され得る。
【００１６】
さらに別の態様は、複数のキャリアのうちの１つまたは複数のコンポーネントキャリアのサブフレーム上にモバイルデバイスをスケジュールするための手段を含むことができる装置に関する。本装置は、スケジューリング情報を含むダウンリンク制御情報を生成するための手段をさらに含むことができる。さらに、本装置は、ダウンリンク制御情報を１つまたは複数のコンポーネントキャリアのサブフレーム中の１つまたは複数の制御チャネルに組み込むための手段を含むことができ、ダウンリンク制御情報を組み込むための手段が、基準キャリア、制御チャネルバンドリング、またはダミー制御チャネルのうちの少なくとも１つを実装するための手段を備える。
【００１７】
さらに別の態様は、コンピュータ可読媒体を備えることができるコンピュータプログラム製品に関する。本コンピュータ可読媒体は、少なくとも１つのコンピュータに、複数のキャリアのうちの１つまたは複数のコンポーネントキャリアのサブフレーム上にモバイルデバイスをスケジュールさせるためのコードを含むことができる。さらに、本コンピュータ可読媒体は、少なくとも１つのコンピュータに、スケジューリング情報を含むダウンリンク制御情報を生成させるためのコードを含むことができる。さらに、本コンピュータ可読媒体は、少なくとも１つのコンピュータに、基準キャリア、制御チャネルバンドリング、またはダミー制御チャネルのうちの少なくとも１つの実装を通して、ダウンリンク制御情報を１つまたは複数のコンポーネントキャリアのサブフレーム中の１つまたは複数の制御チャネルにマッピングさせるためのコードを含むことができる。
【００１８】
別の態様によれば、スケジューリング情報をダウンリンク制御情報フォーマットに統合する制御チャネルモジュールを含むことができる装置について説明する。さらに、本装置は、第１のダウンリンク制御情報パケットを基準キャリアにマッピングする基準キャリアモジュールを含むことができる。さらに、本装置は、ダミー制御チャネルを与えるダミー生成モジュールを含むことができる。本装置は、２つ以上の制御チャネルを非基準キャリア上にグループ化するバンドリングモジュールをさらに含むことができる。
【００１９】
上記および関連する目的を達成するために、１つまたは複数の実施形態は、以下で十分に説明し、特に特許請求の範囲で指摘する特徴を備える。以下の説明および添付の図面に、１つまたは複数の実施形態のいくつかの例示的な態様を詳細に記載する。ただし、これらの態様は、様々な実施形態の原理を使用する様々な方法のほんのいくつかを示すものであり、説明する実施形態は、すべてのそのような態様およびそれらの均等物を含むものとする。
【図面の簡単な説明】
【００２０】
【図１】様々な態様による、マルチキャリア構成において制御チャネルの誤検出を低減することを可能にする例示的なワイヤレス通信システムを示す図。
【図２】様々な態様による、ワイヤレス通信システムの物理リソースを示す例示的なリソース図。
【図３】様々な態様による、ワイヤレス通信システムの物理リソースの例示的な制御領域の図。
【図４】様々な態様による、ワイヤレス通信システムの物理リソースの例示的な制御領域の図。
【図５】様々な態様による、ワイヤレス通信システムの物理リソースの例示的な制御領域の図。
【図６】様々な態様による、マルチキャリア構成において制御チャネルの構成および送信を可能にする例示的なシステムの図。
【図７】様々な態様による、マルチキャリア構成において制御チャネルの検出を可能にする例示的なシステムの図。
【図８】様々な態様による、有効な制御チャネルを検出するための例示的な方法の図。
【図９】様々な態様による、基準キャリアに基づいて有効な制御チャネルを識別するための例示的な方法の図。
【図１０】様々な態様による、バンドリングが採用されるときの有効な制御チャネルを検出するための例示的な方法の図。
【図１１】様々な態様による、ダミーチャネルの識別を通して制御チャネルのブラインド検出を可能にする例示的な方法の図。
【図１２】様々な態様による、有効な制御チャネルを検出するための例示的な方法の図。
【図１３】様々な態様による、マルチキャリアシステムにおいてブラインド検出を実行するための例示的な方法の図。
【図１４】様々な態様による、誤検出を低減するためにＵＥをスケジュールし、ＵＥに制御情報を伝達するための例示的な方法の図。
【図１５】様々な態様による、マルチキャリア構成において制御チャネルの誤検出を低減することを可能にする例示的な装置の図。
【図１６】様々な態様による、マルチキャリア構成において制御チャネルの誤検出を低減することを可能にする例示的な装置の図。
【図１７】本明細書で説明する機能の様々な態様を実装するために利用され得るワイヤレス通信デバイスのブロック図。
【図１８】本明細書で説明する機能の様々な態様を実装するために利用され得るワイヤレス通信デバイスのブロック図。
【図１９】本明細書に記載の様々な態様による、ワイヤレス通信システムの図。
【図２０】本明細書で説明する様々な態様が機能することができる、例示的なワイヤレス通信システムを示すブロック図。
【発明を実施するための形態】
【００２１】
次に、図面を参照しながら様々な実施形態について説明する。図面全体にわたって、同様の要素を指すのに同様の参照符号を使用する。以下の記述では、説明の目的で、１つまたは複数の実施形態の完全な理解を与えるために多数の具体的な詳細を記載する。ただし、そのような（１つまたは複数の）実施形態は、これらの具体的な詳細なしに実施され得ることは明らかであろう。他の例では、１つまたは複数の実施形態の説明を円滑にするために、よく知られている構造およびデバイスをブロック図の形態で示す。
【００２２】
本出願で使用する「構成要素」、「モジュール」、「システム」などの用語は、ハードウェア、ファームウェア、ハードウェアとソフトウェアの組合せ、ソフトウェア、または実行中のソフトウェアなど、コンピュータ関連のエンティティを指すものとする。たとえば、構成要素は、プロセッサ上で実行されるプロセス、プロセッサ、オブジェクト、実行可能ファイル、実行スレッド、プログラム、および／またはコンピュータとすることができるが、これらに限定されない。例として、コンピューティングデバイス上で実行されるアプリケーションと、そのコンピューティングデバイスの両方を構成要素であり得る。１つまたは複数の構成要素がプロセスおよび／または実行スレッド内に常駐することができ、１つの構成要素を１つのコンピュータ上に配置し、および／または２つ以上のコンピュータ間に分散することができる。さらに、これらの構成要素は、様々なデータ構造を記憶している様々なコンピュータ可読媒体から実行することができる。これらの構成要素は、１つまたは複数のデータパケット（たとえば、ローカルシステム、分散システム内、および／または他のシステムを用いるインターネットなどのネットワーク全体の中の別の構成要素と信号を介して相互作用する１つの構成要素からのデータ）を有する信号によるなど、ローカルおよび／またはリモートプロセスを介して通信することができる。
【００２３】
さらに、本明細書ではワイヤレス端末および／または基地局に関する様々な態様について説明する。ワイヤレス端末は、ユーザにボイスおよび／またはデータ接続性を提供するデバイスを指すことができる。ワイヤレス端末は、ラップトップコンピュータまたはデスクトップコンピュータなどのコンピューティングデバイスに接続することができ、あるいは携帯情報端末（ＰＤＡ）などの自蔵式デバイスとすることができる。ワイヤレス端末はまた、システム、加入者ユニット、加入者局、移動局、モバイル、リモート局、アクセスポイント、リモート端末、アクセス端末、ユーザ端末、ユーザエージェント、ユーザデバイス、またはユーザ機器（ＵＥ）と呼ばれることがある。ワイヤレス端末は、加入者局、ワイヤレスデバイス、セルラー電話、ＰＣＳ電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された他の処理デバイスとすることができる。基地局（たとえば、アクセスポイント、ノードＢ、または進化型ノードＢ（ｅＮＢ））は、１つまたは複数のセクタを通して、エアインターフェースを介してワイヤレス端末と通信する、アクセスネットワーク中のデバイスを指すことができる。基地局は、受信したエアインターフェースフレームをインターネットプロトコル（ＩＰ）パケットに変換することによって、ワイヤレス端末と、ＩＰネットワークを含むことができるアクセスネットワークの残部との間のルータとして働くことができる。基地局はまた、エアインターフェースの属性の管理を調整する。
【００２４】
その上、本明細書で説明する様々な機能は、ハードウェア、ソフトウェア、ファームウェア、またはそれらの組合せで実装され得る。ソフトウェアで実装する場合、機能は、１つまたは複数の命令またはコードとしてコンピュータ可読媒体上に記憶するか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る利用可能な媒体とすることができる。限定ではなく、例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを担持または記憶するために使用でき、コンピュータによってアクセスされ得る、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイディスク（disc）（ＢＤ）を含み、ディスク（disk）は、通常、データを磁気的に再生し、ディスク（disc）は、データをレーザで光学的に再生する。上記の組合せもコンピュータ可読媒体の範囲内に含めるべきである。
【００２５】
本明細書で説明する様々な技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリアＦＤＭＡ（ＳＣ−ＦＤＭＡ）システム、および他のそのようなシステムなど、様々なワイヤレス通信システムに対して使用され得る。「システム」および「ネットワーク」という用語は、本明細書ではしばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００、高速パケットアクセス（ＨＳＰＡ）、高速ダウンリンクパケットアクセス（ＨＳＤＰＡ）、高速アップリンクパケットアクセス（ＨＳＵＰＡ）などの無線技術を実装することができる。ＵＴＲＡは、Ｗｉｄｅｂａｎｄ−ＣＤＭＡ（Ｗ−ＣＤＭＡ）およびＣＤＭＡの他の変形態を含む。さらに、ＣＤＭＡ２０００は、ＩＳ−２０００、ＩＳ−９５およびＩＳ−８５６規格をカバーする。ＴＤＭＡシステムはＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用する今度のリリースである。ＨＳＰＡ、ＨＳＤＰＡ、ＨＳＵＰＡ、ＵＴＲＡ、Ｅ−ＵＴＲＡ、ＵＭＴＳ、ＬＴＥ、ＬＴＥ−Ａ、ＳＡＥ、ＥＰＣ、およびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。さらに、ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。明快のために、ＷＣＤＭＡ（登録商標）、ＨＳＰＡ、ＨＳＤＰＡ、およびＨＳＵＰＡに関連する用語が以下の説明において採用される。ただし、本明細書に添付される特許請求の範囲は、明示的にＷＣＤＭＡ、ＨＳＰＡ、ＨＳＤＰＡ、およびＨＳＵＰＡに限定されない限り、それらに限定されるものではないことを諒解されたい。
【００２６】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００２７】
いくつかのデバイス、構成要素、モジュールなどを含むことができるシステムに関して、様々な態様を提示する。様々なシステムは、追加のデバイス、構成要素、モジュールなどを含むことも、および／または各図に関連して論じるデバイス、構成要素、モジュールなどのすべてを含まないこともあることを理解および諒解されたい。これらの手法の組合せも使用され得る。
【００２８】
次に図面を参照すると、図１に、様々な態様による、マルチキャリア構成において制御チャネルの誤検出を低減することを可能にする例示的なワイヤレス通信システム１００を示す。ワイヤレス通信システム１００は、ワイヤレスリンクを介して互いに通信するｅノードＢ（ｅＮＢ）１１０とユーザ機器（ＵＥ）１２０とを含む。一例では、ｅＮＢ１１０は、マクロセルアクセスポイント、フェムトセルまたはピコセルアクセスポイント、ノードＢ、ｅノードＢ、基地局、モバイル基地局、その一部分、および／またはＵＥにワイヤレス通信ネットワークへのアクセスを与える実質的に任意のデバイスまたは装置などのアクセスポイントとすることができる。図１には、ただ１つのＵＥ１２０およびｅＮＢ１１０を示しているが、システム１００は、任意の数のＵＥおよび／またはｅＮＢを含むことができることを諒解されたい。一態様によれば、ｅＮＢ１１０は、順方向リンクチャネルまたはダウンリンクチャネルを介してＵＥ１２０に情報を送信することができ、ＵＥ１２０は、逆方向リンクチャネルまたはアップリンクチャネルを介してｅＮＢ１１０に情報を送信することができる。システム１００は、ＷＣＤＭＡワイヤレスネットワーク、ＯＦＤＭＡワイヤレスネットワーク、ＣＤＭＡネットワーク、３ＧＰＰ  ＬＴＥまたはＬＴＥ−Ａワイヤレスネットワーク、３ＧＰＰ２  ＣＤＭＡ２０００ネットワーク、ＥＶ−ＤＯネットワーク、ＷｉＭＡＸネットワーク、ＨＳＰＡネットワークなどにおいて動作することができることを諒解されたい。
【００２９】
一態様では、ｅＮＢ１１０およびＵＥ１２０は、多重コンポーネントキャリアを採用するように構成され得る。たとえば、ｅＮＢ１１０およびＵＥ１２０は、Ｎを１以上の整数として、キャリア１〜キャリアＮで示される、複数のコンポーネントキャリア１３０を介して通信することができる。図１には２つのキャリアが示されているが、ｅＮＢ１１０およびＵＥ１２０は、単一のキャリア、２つのキャリア、３つのキャリアなどを用いて動作するように構成され得ることを諒解されたい。キャリア１３０の各キャリアは、完全な無線インターフェースをカプセル化することができる。たとえば、キャリア１３０の各々は、キャリア１３０がそれぞれ、限定はしないが、物理ダウンリンク共有チャネル（ＰＤＳＣＨ）、物理ダウンリンク制御チャネル（ＰＤＣＣＨ）、物理アップリンク共有チャネル（ＰＵＳＣＨ）、物理アップリンク制御チャネル（ＰＵＣＣＨ）、物理ブロードキャストチャネル（ＰＢＣＨ）など、複数のダウンリンクおよびアップリンク論理、トランスポートおよび物理的チャネルを含むように、それぞれＬＴＥまたはＬＴＥ−Ａ無線インターフェースを含むことができる。したがって、ＵＥ１２０は、キャリア１３０のうちの１つを介して完全なワイヤレス通信サービスを受信することができる。さらに、キャリア１３０のうちの２つ以上の利用によって、より大きいデータレートが達成され得る。別の態様では、キャリア１３０のうちの１つは、ＵＥ１２０のアンカーキャリアに指定され得る。各コンポーネントキャリアは完全な無線インターフェースを含むことができるが、アンカーを指定することによりシステムオーバーヘッドを低減することができる。たとえば、各キャリアは、そのキャリアの動作をサポートするために制御シグナリングを含むことができ、アンカーキャリアは、システム全体をサポートする追加のシグナリング（たとえば、ページング信号、同期信号、システムブロードキャストなど）を搬送することができる。アンカーキャリアは、セル固有のものとする（たとえば、ｅＮＢ１１０によってサービスされるすべてのＵＥが同じキャリアをアンカーに指定する）か、またはＵＥ固有のものとする（たとえば、各ＵＥが異種キャリアをアンカーに指定する）ことができることを諒解されたい。さらに、２つ以上のアンカーキャリアが各ＵＥについて指定され得ることを諒解されたい。一例では、キャリア１３０は、ＬＴＥ  Ｒｅｌｅａｓｅ  ８キャリアのアグリゲーションとすることができ、レガシーＵＥは、単一のコンポーネントキャリア（たとえば、アンカーキャリアまたは他のキャリア）を利用することができ、高度ＵＥは、１つまたは複数の構成要素キャリアを採用することができる。
【００３０】
ＬＴＥ  Ｒｅｌｅａｓｅ  ８と同様に、シングルキャリア構成では、ｅＮＢ１１０は、ＵＥ１２０にＰＤＣＣＨなどの制御チャネルを送信することができる。制御チャネルは、ダウンリンクスケジューリング割当て、アップリンクスケジューリング許可、電力制御コマンドなどのダウンリンク制御情報を含むことができる。制御チャネルは、ＵＥ１２０のための制御シグナリングを含むことができ、他の制御チャネルは、他のＵＥまたはＵＥのグループ（図示せず）のために送信され得る。したがって、複数の制御チャネルが所与の時間において送信され得る。制御チャネルの各制御情報ペイロードは、制御情報が対象とするＵＥの識別子によってスクランブルされた巡回冗長検査（ＣＲＣ）と連結され得る。たとえば、ｅＮＢ１１０は、制御チャネルのペイロード（たとえば、制御情報）に基づいてＣＲＣを生成することができ、ＣＲＣは、ＵＥ１２０に関連する識別子によってスクランブルされ得、ＵＥ１２０を対象とする制御チャネル中に含まれる制御情報にＣＲＣをアタッチすることができる。受信時に、ＵＥ１２０は、制御チャネルが有効であるどうかを確認するために、制御チャネルのＣＲＣをその識別情報と照合することができる。
【００３１】
図２を手短に参照すると、ダウンリンクのためのワイヤレス通信システム帯域幅の一部分２００が示されている。帯域幅の一部分２００は、リソースブロック２０２など、複数のリソースブロックを含むことができる。リソースブロック２０２は、時間次元においては１つのサブフレームまたは２つのスロットにわたり、周波数次元においては１２個のサブキャリアにわたることができる。巡回プレフィックスのサイズに応じて、リソースブロック２０２は、最高１４個の直交周波数分割多重（ＯＦＤＭ）シンボルを含むことができる。スロットは、それぞれ７つのシンボルを含むことができる。特定のサブキャリアにおける１つのＯＦＤＭシンボルがリソース要素と見なされる。
【００３２】
図２に示すように、リソースブロック２０２は、制御領域２０４とデータ領域２０６とに分割され得る。制御領域２０４は、サブフレーム中で制御情報を搬送するために利用されるリソース要素を含み、物理制御フォーマットインジケータチャネル（ＰＣＦＩＣＨ）を通して指定されるように、（たとえば、大きいシステム帯域幅の場合）１つ、２つ、または３つのＯＦＤＭシンボルにわたるか、または（たとえば、１０個以下のリソースブロックを有する小さい帯域幅の場合）２つ、３つ、または４つのＯＦＤＭシンボルにわたることができる。一態様では、制御チャネル（たとえば、ＰＤＣＣＨ）は、１つまたは複数のＵＥに送信されるべきリソースブロック２０２（またはいずれかの他のリソースブロック）の制御領域２０４にマッピングされ得る。データ領域２０６中に含まれるリソース要素は、ダウンリンクユーザデータを搬送するためにＰＤＳＣＨなどのデータチャネルによって利用され得る。
【００３３】
一態様では、制御チャネルまたはＰＤＣＣＨは、１つまたは複数の制御チャネル要素（ＣＣＥ）から構成され得る。ＣＣＥは、複数のリソース要素を備えることができる。たとえば、１つのＣＣＥは、３６個のリソース要素のセットを含むことができるが、異なるサイズのＣＣＥが採用され得ることを諒解されたい。制御チャネル当たりのＣＣＥの数はアグリゲーションレベルに依存する。一態様では、利用可能なアグリゲーションレベルのセットが制限され得る。たとえば、可能なアグリゲーションレベルは、制御チャネル当たり１つ、２つ、４つ、または８つのＣＣＥとすることができる。ただし、他のアグリゲーションレベルが利用され得ることを諒解されたい。
【００３４】
制御チャネルのフォーマットは、変動することができ、概して、サブフレームの受信より前に知られない。したがって、ＵＥは、制御チャネルのフォーマットをブラインド検出する。一例では、ＵＥは、制御チャネル情報を発見するためにＣＣＥの様々なグルーピングを復号しようと試みる。ＵＥの複雑さを低減するために、探索空間が定義され得る。図３を参照すると、制御領域３００が示されている。制御領域３００は、リソースブロック２０２の制御領域２０４と同様であり得ることを諒解されたい。しかしながら、一態様では、制御領域３００は、キャリアのシステム帯域幅全体にわたることができる。制御領域３００は、制御チャネルを形成するためにアグリゲートされ得る複数のＣＣＥを含む。図３には、（ＣＣＥ０からＣＣＥ３１までインデックス付けされた）３２個のＣＣＥを有する制御領域３００が示されているが、異なる数のＣＣＥが制御チャネルのために利用可能であり得ることを諒解されたい。一例では、利用可能なＣＣＥの数は、制御領域のサイズ（たとえば、１つ、２つ、または３つのシンボル）、セル帯域幅、ダウンリンクアンテナポートの数、物理ハイブリッドＡＲＱインジケータチャネル（ＰＨＩＣＨ）によって占有されるリソース量などに依存し得る。
【００３５】
制御領域３００は、共通探索空間とＵＥ固有探索空間とに区分され得る。共通探索空間は、セル内のあらゆるＵＥによって監視される。ＵＥ固有探索空間は単一のＵＥによって監視され、したがって、複数のＵＥ固有探索空間がセル内のＵＥの数に基づいて定義され得る。制御３００の別個の一部分として示されているが、共通探索空間とＵＥ固有探索空間とは重複することができる。さらに、複数の重複するＵＥ固有探索空間がＵＥごとに構成され得、各探索空間は異なるアグリゲーションレベルに関連付けられる。図３には、ＣＣＥ０において開始する共通探索空間と、ＣＣＥ１６において開始するＵＥ固有探索空間とが示されているが、それぞれの探索空間の開始インデックスは別のＣＣＥインデックスとすることができることを諒解されたい。
【００３６】
図４に、共通探索空間内の、ＵＥが復号しようと試みる制御チャネル候補を示す。共通探索空間内では、アグリゲーションレベル４とアグリゲーションレベル８との２つのアグリゲーションレベルがあり得る。したがって、共通探索空間内では、制御チャネルは、４つのＣＣＥおよび／または８つのＣＣＥを含むことができる。共通探索空間は１６個のＣＣＥを含むことができるので、共通探索空間は、それぞれ８つのＣＣＥからなる２つの候補（たとえば、Ｃ５およびＣ６）と、それぞれ４つのＣＣＥからなる４つの候補（たとえば、Ｃ１〜Ｃ４）とを含む。
【００３７】
図５に、ＵＥ固有探索空間内の制御チャネル候補を示す。ＵＥ固有探索空間では、４つのアグリゲーションレベル、すなわち、アグリゲーションレベル１、２、４、および８が利用可能である。アグリゲーションレベルごとに、ＵＥは、異なるサイズを有する異なる探索空間で構成され得る。図５には、各探索空間が同じ開始ＣＣＥインデックスを共有するものとして示されているが、異なる開始インデックスが異なるアグリゲーションレベル（たとえば、探索空間）に関連付けられ得ることを諒解されたい。さらに、探索空間の開始インデックスは、図４に関して上記で説明した共通探索空間に重複することができることを諒解されたい。アグリゲーションレベル１の場合、６つのＣＣＥからなる探索空間が構成され得、その結果、６つの候補制御チャネル（たとえば、Ｃ１〜Ｃ６）が生じる。アグリゲーションレベル２の場合、１２個のＣＣＥからなる探索空間が構成され得る。この探索空間内で、それぞれ２つのＣＣＥを有する６つの候補（Ｃ７〜Ｃ１２）が復号され得る。アグリゲーションレベル４および８の場合、それぞれ８つおよび１６個からなる探索空間が構成され得る。これらの探索空間内で、それぞれ２つの候補（たとえば、アグリゲーションレベル４の場合はＣ１３および１４、アグリゲーションレベル８の場合はＣ１５およびＣ１６）がブラインド復号され得る。
【００３８】
図４および図５に示すように、１つの例示的な設計による、ＵＥが、対象とされる制御チャネルを探索するときに復号することを試みることができる、２２個の候補制御チャネルがある。ただし、ＵＥは、特定のダウンリンクおよび／またはアップリンク送信モードを利用するように構成され得、各送信モードは、異なるサイズの２つの制御チャネルフォーマットに関連付けられ得る。したがって、ＵＥは、候補制御チャネルを復号しようと２回試み、構成された送信モードに関連付けられた制御チャネルフォーマットのうちの１つに従って候補を復号しようと毎回試みる。一例では、ＵＥ１２０は、サブフレームごとに４４回のブラインド検出を試み、構成された制御チャネルフォーマットごとに２２回の検出を試みることができる。別の態様では、ＵＥ１２０は、２つ以上の送信モードを用いて動作するように構成され得、したがって、追加の制御チャネルフォーマットを監視することができる。したがって、検出の数は、追加の送信モードが構成されるにつれて直線的に増加し得る。
【００３９】
一態様では、ＵＥ１２０は、複数の識別情報（たとえば、無線ネットワーク一時識別子（ＲＮＴＩ））を割り当てられ得、制御チャネルは１６ビットＣＲＣによって保護され得る。したがって、１つのサブフレームにおけるＵＥ１２０についての誤検出確率（たとえば、ＵＥ１２０が、別のユーザを対象とする制御チャネルを検出する確率）は、約４４＊２／２16または０．１３％（約１／７５０）となる。上記で説明したように、ＵＥ１２０は、多重コンポーネントキャリアを採用するように構成され得る。一例では、ＵＥ１２０は、５つのコンポーネントキャリアを監視することができる。各キャリアが、そのキャリア上にスケジュールされたユーザに制御シグナリングを与える、個々の制御シグナリングの下では、ブラインド制御チャネル検出の数は、たとえば、２２０個まで増加し得る。ブラインド検出の増加とともに、誤検出確率も０．６７％に増加し得る。フォールスアラーム確率は、ＵＥ１２０によるプルーニング動作の実装を通して低減され得る。たとえば、適用可能な場合は、ゼロパディングが利用され得る。別の例では、ＵＥ１２０は、無効なリソース割振りサイズをもつ制御チャネルをなくすことができる。ブラインド検出の数を低減することによっておよび／または場合によっては他の特性を介して候補をなくすことによってフォールスアラームをさらに低減するために、他の動作も実行され得ることを諒解されたい。
【００４０】
より詳細には、合計５つのコンポーネントキャリアをサポートする、Ｋ人のアクティブユーザをもつシステムについて考える。平均して、各アクティブユーザは、Ｍ個のコンポーネントキャリアを監視し、Ｌ個のサブフレームごとに制御チャネルを復号しようと試みる。したがって、所与のサブフレームにおいて、制御チャネル検出を試みるＵＥの平均数は、約Ｋ／Ｌ個とすることができる。さらに、ＵＥがコンポーネントキャリアにスケジュールしている確率を示す確率ｐが定義され得る。サブフレームごとに２５個のＵＥがスケジューリングのために利用可能であり、確率ｐが０．２５である一例では、サブフレームごとにスケジュールされるＵＥは平均して６．２５個である。したがって、各サブフレームにおける、コンポーネントキャリアごとの誤検出の数は、次式によって与え得る。
【００４１】
（（１−ｐ）＊Ｍ＊Ｋ）／（５＊７５０＊Ｌ）  （数式１）
Ｋ＝６２５、Ｌ＝５、Ｍ＝３、およびｐ＝０．２５である具体的な例によれば、キャリアごとのサブフレームごとの誤検出は平均して０．０２５個であり、これは、平均してキャリア帯域幅の０．８３％が阻止されることに対応する。監視されるコンポーネントキャリアの数Ｍが増加するにつれて、誤検出の数ならびに阻止される帯域幅の割合も増加する。
【００４２】
図１を続けると、システム１００は、多重コンポーネントキャリアが構成されるとき、誤検出の低減を可能にすることができる。ｅＮＢ１１０は、無線リソース制御（ＲＲＣ）モジュール１１２と、（１つまたは複数の）スケジューラ１１４と、物理レイヤモジュール１１６とを含むことができる。ＲＲＣモジュール１１２は、ＲＲＣプロトコルレイヤの様々な機能を実装することができる。たとえば、ＲＲＣモジュール１１２は、システム情報のブロードキャスト、結合制御、ページング、接続の確立および構成、サービス品質（ＱｏＳ）制御、無線リンク障害回復、および／または他の同様の機能を制御することができる。さらに、ＲＲＣモジュール１１２は、ＵＥ１２０が監視するコンポーネントキャリアを活動化／非活動化すること、誤検出低減を可能にする構成パラメータを確立すること、および／または誤検出低減モードを選択することを行うことができる。
【００４３】
スケジューラ１１４は、リンク（たとえば、ダウンリンクまたはアップリンク）上のリソースをＵＥ１２０（および／またはｅＮＢ１１０によってサービスされるいずれかの他のＵＥ（図示せず））に割り振ることができる。スケジューラ１１４は、ＵＥ１２０に関連付けられたデータを搬送することを目的とする１つまたは複数のサブフレーム上のリソースブロックを選択することができる。一態様では、キャリア１３０は、ｅＮＢ１１０が、各々が特定のキャリアに関連付けられた複数のスケジューラ１１４を含むように、個々にスケジュールされ得る。別の態様では、キャリア１３０は、スケジューラ１１４によって一緒にスケジュールされ得る。
【００４４】
物理レイヤモジュール１１６は、ｅＮＢ１１０の物理レイヤ機能を実装することができる。たとえば、物理レイヤモジュール１１６は、データパケットにＣＲＣをアタッチすること、データパケットを符号化すること、符号化されたデータパケットを信号に変調すること、アンテナマッピングを実行すること、および／またはワイヤレスリンクを介した送信のために信号をリソース要素にマッピングすることを行うことができる。物理レイヤモジュール１１６は、そのような符号化機能、変調機能、および送信機能をトランスポートチャネルの形態で高位レイヤ（たとえば、媒体アクセス制御、無線リンク制御など）に与えることができる。１つまたは複数のトランスポートブロックに変換されるデータパケット（たとえば、インターネットプロトコル（ＩＰ）パケット）が、物理レイヤモジュール１１６による処理および送信のためにトランスポートチャネルに追加され得る。
【００４５】
さらに、物理レイヤモジュール１１６は、物理的信号（たとえば、基準信号）ならびに制御シグナリング（たとえば、ダウンリンク制御情報など）を管理することができる。一例では、物理レイヤモジュール１１６は、スケジューラ１１４によって与えられるスケジューリング情報を含む制御情報を生成することができる。物理レイヤモジュール１１６は、ＵＥ１２０または制御情報が対象とする別のＵＥのＲＮＴＩによってスクランブルされたＣＲＣをアタッチし、アタッチされたＣＲＣで制御情報を符号化することができる。符号化制御情報は、ＣＣＥにアグリゲートされ、変調され、キャリア１３０のうちの１つ上で送信され得る。
【００４６】
ＵＥ１２０は、ＲＲＣモジュール１２２と物理レイヤモジュール１２４とを含むことができる。ＲＲＣモジュール１２２は、ｅＮＢ１１０からＲＲＣシグナリングおよび／または構成メッセージを受信することができる。構成メッセージは、構成パラメータ、ならびにコンポーネントキャリアを活動化／非活動化する、誤検出低減モードを選択するなどのコマンドを含むことができる。物理レイヤモジュール１２４は、ワイヤレスリンクを介して受信された信号を復調し、復号することができる。さらに、物理レイヤモジュール１２４は、サブフレーム中で制御チャネルのブラインド検出を実行することができる。たとえば、物理レイヤモジュール１２４は、サブフレームを受信すると、上記で説明したように共通探索空間および１つまたは複数のＵＥ固有探索空間中の制御チャネル候補を復号しようと試みることができる。具体的には、物理レイヤモジュール１２４は、候補制御チャネルを復号しようと試み、ＣＲＣをＵＥ１２０の識別情報と照合する。一致が生じた場合、ＵＥ１２０は、それがスケジュールされており、検出された制御チャネルが必要な制御情報を含んでいると仮定する。物理レイヤモジュール１２４が検出しようと試みる候補の数を仮定すれば、ＵＥ１２０は、別のユーザを対象とする制御チャネルを検出する誤検出の確率が存在する。より多くのコンポーネントキャリアが活動化され、構成されるにつれて、誤検出の確率は増加し得る。一例では、キャリア１３０の各コンポーネントキャリアは、シングルキャリアレガシーＵＥとの後方互換性を維持することができる。したがって、制御チャネル構造、探索、およびブラインド検出は、レガシー設計に従うことができる。
【００４７】
ダウンリンク制御情報の変更なしに、または探索空間とアグリゲーションレベルとを制限することなしに誤検出を低減するために、ｅＮＢ１１０およびＵＥ１２０は、複数のキャリアがそれらの間に構成されるとき、基準キャリアを採用することができる。多重コンポーネントキャリア１３０で構成されたＵＥ１２０は基準キャリアに指定され得る。基準キャリアは、半静的とすることができ、ＲＲＣモジュール１１２および１２２を介して構成され得る。別の態様では、基準キャリアは動的に選択され得る。ダウンリンクサブフレームを受信すると、ＵＥ１２０の物理レイヤモジュール１２４は、基準キャリア上でブラインド検出を開始することができる。制御チャネルが検出された場合、物理レイヤモジュール１２４は、残りのキャリア上でブラインド検出を続けることができる。基準キャリア上で制御チャネルが検出されなかった場合、ＵＥ１２０は、それがスケジュールされていないと仮定し、ブラインド検出を停止する。したがって、スケジューラ１１４と物理レイヤモジュール１１６は、ＵＥ１２０をスケジュールするために、制御情報がＵＥ１２０に関連付けられた基準キャリア上に少なくとも含まれるように協調する。
【００４８】
別の態様では、ｅＮＢ１１０およびＵＥ１２０は、誤検出を低減するために制御チャネルバンドリングを利用することができる。以下で説明するように、制御チャネルバンドリングは、基準キャリアおよび／または他の好適な誤検出低減方式と協働して採用され得る。ＵＥ１２０は、サブフレームが受信されたとき、１つまたは複数のキャリア上でブラインド検出を実行することができる。ＵＥ１２０が単一の制御チャネルを検出したとき、ＵＥ１２０は、それがサブフレーム上にスケジュールされていないと仮定する。しかしながら、ＵＥ１２０は、２つ以上のチャネルが検出されたとき、検出された制御チャネルを受け付けることができる。別の例では、制御チャネルバンドリングは、制御チャネルが基準キャリア上にあるとき、単一の制御チャネルが有効として受け付けられるように、基準キャリア動作を補完することができる。したがって、スケジューラ１１４は、ＵＥ１２０のためのデータを含んでいるサブフレーム中の少なくとも２つのキャリア上にＵＥ１２０をスケジュールする。
【００４９】
誤検出を低減するために採用され得る別の態様は、ダミー制御チャネルに関する。ダミー制御チャネルは、スケジューリング情報を搬送しない制御チャネルとすることができる。ダミー制御チャネルは、制御検出が有効であることをＵＥ１２０に示すために参照機構または検証機構として利用され得る。この手法の下で、ＵＥ１２０の物理レイヤモジュール１２４は、サブフレーム中の制御チャネルを復号しようと試みることができる。詳細には、物理レイヤモジュール１２４は、ダミー制御チャネルを検出するために、共通空間および／またはＵＥ固有探索空間中の制御チャネル候補を評価することができる。ダミー制御チャネルが検出されなかった場合、ＵＥ１２０は、それがサブフレーム上にスケジュールされていないと仮定する。しかしながら、ダミー制御チャネルが検出されたとき、ＵＥ１２０は、それがスケジュールされていると仮定し、キャリア１３０のうちの１つ上の有効な制御チャネルを発見するためにブラインド検出を続ける。一例によれば、ｅＮＢ１１０は、スケジューラ１１４がサブフレーム上にＵＥ１２０をスケジュールしたときはいつでも、サブフレーム中の有効な制御チャネルとともにダミー制御チャネルを含むことができる。
【００５０】
以下で説明するように、ｅＮＢ１１０およびＵＥ１２０は、誤検出を低減するために、基準キャリア、制御チャネルバンドリング、および／またはダミー制御チャネルの組合せを採用することができる。さらに、上記の誤検出低減機構についてＬＴＥ−Ａに関して説明したが、３ＧＰＰ  ＬＴＥ、ＵＭＴＳ、ＣＤＭＡ、ＣＤＭＡ２０００、ＨＳＰＡ、ＷＣＤＭＡ、ＷｉＭＡＸ、ＷｉＦｉ、および／または他の技術は、制御チャネル受信を改善するために、本明細書で説明する概念を利用することができることを諒解されたい。
【００５１】
図６を参照すると、様々な態様による、マルチキャリア構成において制御チャネルの構成および送信を可能にするシステム６００が示されている。システム６００は、複数のコンポーネントキャリア１３０を介して通信するｅＮＢ１１０とＵＥ１２０とを含むことができる。ｅＮＢ１１０は、ＵＥ１２０による誤制御チャネル検出が低減されるように、キャリア１３０のうちの１つまたは複数上でＵＥ１２０を対象とする制御チャネルを構成し、送信することができる。
【００５２】
ｅＮＢ１１０は、物理レイヤモジュール１１６によって実装される物理レイヤなどの下位レイヤを構成し、制御することができるＲＲＣモジュール１１２を含むことができる。ｅＮＢ１１０は、１つまたは複数のキャリア１３０の１つまたは複数のサブフレーム上でリソースをＵＥ１２０に割り振るスケジューラ１１４をさらに含むことができる。ＲＲＣモジュール１１２は、ＵＥ１２０によって監視されるコンポーネントキャリアを活動化および／または非活動化するキャリア構成モジュール６０２を含むことができる。さらに、キャリア構成モジュール６０２は、複数のキャリア１３０のコンポーネントキャリアを、誤検出低減機構中で採用可能な基準キャリアに指定することができる。基準キャリアは、ＲＲＣ構成メッセージを介して半静的に構成され得る。基準キャリアは、セル固有とすることも（たとえば、セル内のすべてのＵＥが、同じ基準キャリアを採用する）、またはＵＥ固有とすることもできる（たとえば、各ＵＥが、異なる基準キャリアを採用することができる）。キャリア構成モジュール６０２は、様々な技法を通してＵＥ１２０のための基準キャリアを選択することができる。たとえば、基準キャリアとして指定すべきキャリアを選択するハッシング関数が採用され得、ハッシング関数は、ＵＥ識別情報（たとえば、ＲＮＴＩ）、セル識別子、サブフレーム番号、システムフレーム番号、ハイブリッドＡＲＱプロセス番号などに基づいて基準キャリアを識別することができる。別の例では、キャリア構成モジュール６０２は、所定の時間量および／または所定の数のサブフレーム後に基準キャリアを決定論的に循環させる。たとえば、ＵＥ１２０によって監視されるＣ個のコンポーネントキャリアがあるとすれば、各キャリアが、Ｃ個のサブフレームごとに基準キャリアになり得る。以下で説明するように、基準キャリアはまた、ＵＥ１２０によって動的に選択され得、したがって、ＲＲＣシグナリングの必要なしにＵＥ１２０とｅＮＢ１１０とによって確立され得る。
【００５３】
ＲＲＣモジュール１１２は、物理レイヤモジュール１１６のダウンリンク制御シグナリングを構成し、制御するシグナリング構成モジュール６０２をさらに含むことができる。一態様では、シグナリング構成モジュール６０２は、誤検出低減モード（たとえば、基準キャリア、ダミー制御チャネル、制御チャネルバンドリング、またはそれらの組合せ）を選択することができる。一例によれば、誤検出低減モードは、ｅＮＢ１１０によってサービスされるあらゆるＵＥが同じモードを利用するように、セル固有とすることができる。ただし、このモードは、各ＵＥが異なるモードを採用するように構成され得るように、ＵＥ固有とすることができることを諒解されたい。ＵＥ固有の構成は、ＵＥカテゴリー、ＵＥ優先クラス、ＵＥ用に構成されたキャリアの数などに基づくことができる。一例では、１つまたは２つのキャリアが構成されたＵＥは、５つのコンポーネントキャリアが構成されたＵＥとは異なる低減機構を利用することができる。
【００５４】
スケジューラ１１４は、シグナリング構成モジュール６０４によって生成されたシグナリング構成制約に従ってサブフレーム上にＵＥ１２０をスケジュールすることができる。さらに、物理レイヤモジュール１１６は、シグナリング構成モジュール６０４によって確立される少なくとも１つの構成パラメータに基づいて、サブフレーム上の１つまたは複数の制御チャネルに制御情報と多重制御情報とを生成することができる。物理レイヤモジュール１１６は、スケジューリング情報（たとえば、ダウンリンクおよび／またはアップリンクスケジュール割当て）および／または他の制御情報をダウンリンク制御情報（ＤＣＩ）フォーマットに統合する制御チャネルモジュール６０６を含むことができる。さらに、制御チャネルモジュール６０６は、ＣＲＣをＤＣＩパケットにアタッチすることができる。ＣＲＣは、ＤＣＩパケットが対象とする、ＵＥ１２０の識別情報（たとえば、ＲＮＴＩ）によってスクランブルされ得る。さらに、制御チャネルモジュール６０６は、サブフレームのアグリゲーションレベルに従ってＤＣＩパケットを１つまたは複数のＣＣＥにマッピングすることができる。
【００５５】
基準キャリア動作をサポートするために、物理レイヤモジュール１１６は、ＵＥ１２０を対象とする少なくとも１つのＤＣＩパケットを構成された基準キャリア上の制御キャリアにマッピングする基準キャリアモジュール６０８を含むことができる。上記で説明したように、基準キャリアが採用されたとき、ＵＥ１２０が制御チャネルを検出し、受け付けることを保証するために、制御チャネルが基準キャリアにマッピングされなければならない。追加の制御チャネルは、第１の制御チャネルが基準キャリア上で送信される限り、他のキャリアにマッピングされ得る。
【００５６】
バンドリングをサポートするために、物理レイヤモジュール１１６はバンドリングモジュール６１０を含むことができる。バンドリングモジュールは、ＵＥ１２０のための制御チャネルが複数のキャリアのサブフレームについて２つ以上のセットにグループ化されることを保証する。別の態様では、物理レイヤモジュール１１６は、スケジューリング情報を含まないが、ＵＥ１２０に参照または検証を与えるダミー制御チャネルを与えるダミー生成モジュール６１２を含むことができる。ダミー制御チャネルは、任意のコンポーネントキャリアから送信され得、実際の制御チャネルが送られるキャリア上に共存することができる。ダミー制御チャネルは、ダウンリンク用のダミー制御チャネルがアップリンク用のダミー制御チャネルとは異なるように、ダウンリンク送信用とアップリンク送信用とに区別され得る。一態様では、ダミー生成モジュール６１２によって生成されるダミー制御チャネルは、ＵＥ固有とすることができる（たとえば、単一のＵＥによって利用される）。たとえば、ダミー制御チャネルは、あるＣＣＥレベル（たとえば、ＣＣＥインデックス）、ＤＣＩフォーマットに一致するサイズ、および／または固定ビットパターンを有することができる。ダミー制御チャネルは、ＵＥ１２０にガイダンスを与えることができるペイロード指定情報を含むこともできる。一例では、ペイロードは、ＵＥ１２０がスケジュールされるキャリアの総数を含むことができる。ダミー制御チャネルは、あるＣＣＥレベル、サイズを有し、および／または共通ＲＮＴＩで符号化されるセル固有とすることもできる（たとえば、いくつかのＵＥによって利用される）。共通ダミー制御チャネルのペイロードは、１つまたは複数のキャリアをもつサブフレーム上にスケジュールされるＵＥのセットを指定することができる。たとえば、ペイロードはビットマップを含むことができ、各ビットロケーションは、セルの特定のＵＥに対応し、ビット値は、この特定のＵＥが少なくとも１つのキャリア上にスケジュールされているかどうかを示す。ダミー制御チャネルの活動化／非活動化、ダミー制御チャネルがＵＥ固有であるのかセル固有であるのか、ダミー制御チャネルの制御領域内のロケーション、および／または（たとえば、セル固有のダミー制御チャネルのための）ビットマップのビットロケーションなど、構成情報は、シグナリング構成モジュール６０４によって与えられ、ＲＲＣシグナリング、レイヤ２シグナリング、レイヤ１シグナリング、媒体アクセス制御（ＭＡＣ）ペイロードなどを介してＵＥ１２０にシグナリングされ得る。
【００５７】
さらにシステム６００に示すように、ｅＮＢ１１０は、ＲＲＣモジュール１１２の機能、シグナリング構成モジュール６０４、キャリア構成モジュール６０２、物理レイヤモジュール１１６、制御チャネルモジュール６０６、基準キャリアモジュール６０８、バンドリングモジュール６１０、ダミー生成モジュール６１２、および／またはｅＮＢ１１０の他の機能の一部または全部を実装するために利用され得る、プロセッサ６１４および／またはメモリ６１６を含むことができる。
【００５８】
次に図７を参照すると、様々な態様による、マルチキャリア構成において制御チャネルの検出を可能にするシステム７００が示されている。システム７００は、複数のコンポーネントキャリア１３０を介して通信するｅＮＢ１１０とＵＥ１２０とを含むことができる。ｅＮＢ１１０は、１つまたは複数のキャリア１３０上でＵＥ１２０を対象とする制御チャネルを構成し、送信することができ、ＵＥ１２０は、ＵＥ１２０による誤制御チャネル検出が低減されるように、１つまたは複数の機構に従って１つまたは複数のキャリア１３０上で制御チャネルのブラインド検出を実行することができる。
【００５９】
ＵＥ１２０は、物理レイヤモジュール１２４によって実装される物理レイヤなどの下位レイヤを構成し、制御することができるＲＲＣモジュール１２２を含むことができる。ＲＲＣモジュール１２２は、レイヤ３またはｅＮＢ１１０からのＲＲＣシグナリングに基づいて監視されるコンポーネントキャリアを活動化および／または非活動化するキャリア構成モジュール７０２を含むことができる。さらに、キャリア構成モジュール７０２は、複数のキャリア１３０のコンポーネントキャリアを、誤検出低減機構中で採用可能な基準キャリアに指定することができる。基準キャリアは、ＲＲＣ構成メッセージを介してｅＮＢ１１０によって半静的に選択され得、セル固有とすることも、ＵＥ固有とすることもできる。別の例では、キャリア構成モジュール７０２は、キャリア１３０の中から基準キャリアを動的に指定することができる。たとえば、キャリア構成モジュール７０２は、ＵＥ識別情報（たとえば、ＲＮＴＩ）、セルＩＤ、サブフレーム番号、システムフレーム番号、ハイブリッドＡＲＱプロセス番号などに基づいて基準キャリアを選択するハッシング関数を採用することができる別の例では、キャリア構成モジュール７０２は、基準キャリアを決定論的に循環させることができる。たとえば、ＵＥ１２０によって監視されるＣ個のコンポーネントキャリアがあるとすれば、各キャリアが、Ｃ個のサブフレームごとに基準キャリアとして指定され得る。
【００６０】
ＲＲＣモジュール１２２は、ＲＲＣ構成メッセージを受信し、それに応じて物理レイヤモジュール１２４を構成および／または制御するシグナリング構成モジュール７０４をさらに含むことができる。特に、シグナリング構成モジュール７０４は、ダウンリンク制御情報シグナリングとサブフレーム中の制御チャネルのブラインド検出とに関係する構成情報を取得する。たとえば、構成情報は、誤検出低減モード（たとえば、基準キャリア、バンドリング、ダミー制御チャネル、またはそれらの組合せ）を指定することができる。
【００６１】
物理レイヤモジュール１２４は、１つまたは複数のキャリア１３０の特定のサブフレーム上で制御チャネルのブラインド検出を実行する検出モジュール７０６を含むことができる。一例では、検出モジュール７０６は、各キャリア上で、上記で説明したように候補制御チャネルを巡回することができる。各候補について、検出モジュール７０６は、候補を復号し、ＣＲＣをＵＥ１２０の識別情報と照合することができる。ＣＲＣ照合がパスした場合、検出モジュール７０６は制御チャネル検出を登録する。
【００６２】
物理レイヤモジュール１２４は、検出モジュール７０６によって登録された制御チャネル検出を検証する妥当性評価モジュール７０８をさらに含むことができる。妥当性評価モジュール７０８による検出された制御チャネルの受付けは、誤検出低減モードに従うことができる。一例では、構成された誤検出低減モードは基準キャリア機構とすることができる。この方式の下で、基準キャリアが指定される。妥当性評価モジュール７０８は、検出の少なくとも１つが基準キャリアに関連付けられている限り、すべての制御チャネル検出を受け付ける。
【００６３】
別の例では、制御チャネルバンドリングが構成され得る。制御チャネルバンドリングの場合、妥当性評価モジュール７０８は、２つ以上の制御チャネルが１つまたは複数のキャリア上で検出されたとき、検出された制御チャネルを受け付ける。バンドリングが基準キャリア動作を補完することができることを諒解されたい。たとえば、妥当性評価モジュール７０８は、検出のうちの少なくとも１つが基準キャリア上にあるとき、および／または２つ以上の検出が非基準キャリアに関連付けられているとき、制御チャネル検出を検証することができる。
【００６４】
別の態様によれば、ダミー制御チャネルが構成され得る。この低減モードの下で、妥当性評価モジュール７０８は、ダミー制御チャネルも検出されたとき、検出された制御チャネルを受け付ける。ダミー制御チャネルが基準キャリアを補完する場合、制御チャネルが基準キャリア上で復号されたとき、または制御チャネルが非基準キャリア上で復号され、ダミー制御チャネルもキャリア上で発見されたとき、妥当性評価モジュール７０８は検出を検証する。ダミー制御チャネルがバンドリングと協働して採用される構成では、妥当性評価モジュール７０８は、ダミー制御チャネルを含む２つ以上の制御チャネルが発見されたとき、検出された制御チャネルを受け付ける。別の例では、基準キャリア、バンドリング、およびダミー制御チャネルは、一緒に利用され得る。この例によれば、少なくとも１つの制御チャネルが基準キャリア上で発見されたとき、または（ダミー制御チャネルを含む）２つ以上の制御チャネルが非基準キャリア上で検出されたとき、妥当性評価モジュール７０８は検出された制御チャネルを検証する。
【００６５】
さらにシステム７００に示すように、ＵＥ１２０は、ＲＲＣモジュール１２２の機能、シグナリング構成モジュール７０４、キャリア構成モジュール７０２、物理レイヤモジュール１２４、検出モジュール７０６、妥当性評価モジュール７０８、および／またはＵＥ１２０の他の機能の一部または全部を実装するために利用され得る、プロセッサ７１０および／またはメモリ７１２を含むことができる。
【００６６】
図８〜図１３を参照しながら、マルチキャリア構成において制御チャネルの誤検出の低減を可能にすることに関する方法について説明する。本方法は、上記で説明したシステム１００、６００、および／または７００によって実装され得る。説明を簡単にするために、方法を一連の行為として図示し説明するが、いくつかの行為は、１つまたは複数の実施形態によれば、本明細書で図示し説明する順序とは異なる順序で、および／または他の行為と同時に行われるので、方法は行為の順序によって限定されないことを理解および諒解されたい。たとえば、方法は、状態図など、一連の相互に関連する状態または事象として代替的に表現できることを当業者ならば理解し、諒解するであろう。さらに、１つまたは複数の実施形態による方法を実施するために、図示のすべての行為が必要とされるわけではない。
【００６７】
図８を参照すると、様々な態様による、有効な制御チャネルを検出するための方法８００が示されている。方法８００は、たとえば、モバイルデバイスが１つまたは複数のコンポーネントキャリア上のサブフレーム中にスケジュールされているかどうかを判断するためにモバイルデバイスによって採用され得る。参照番号８０２において、複数のコンポーネントキャリア上で１つまたは複数の制御チャネルを検出するためにブラインド検出を実行する。ブラインド検出を実行する間に、共通探索空間および／またはＵＥ固有探索空間中の制御チャネル候補のグループが復号され得る。ＣＲＣ照合が一致した復号候補は、制御チャネル検出と見なされ得る。参照番号８０４において、検出された制御チャネルが有効であるのか無効であるのかを判断する。一例では、検出された制御チャネルの検証は、構成される誤検出低減モードに基づくことができる。たとえば、少なくとも１つの制御チャネルが基準キャリア上で検出されたとき、検出された制御チャネルは有効であると考えられ得る。別の態様では、２つ以上の制御が検出されたとき、検出された制御チャネルは受け付けられ得る。さらに、検証はダミー制御チャネルに基づくことができ、ダミー制御チャネルも検出されたとき、制御チャネルは受け付けられる。検出された制御チャネルが有効であるかどうかを判断するために上記で説明した手法の組合せが採用され得ることを諒解されたい。
【００６８】
図９を参照すると、様々な態様による、基準キャリアに基づいて有効な制御チャネルを識別することを可能にする方法９００が示されている。方法９００は、たとえば、誤検出を低減するために基準キャリアを利用するように構成されたモバイルデバイスによって採用され得る。方法９００は、基準キャリア上で制御チャネルをブラインド検出する試みを行う参照番号９０２において開始することができる。参照番号９０４において、第１の制御チャネルが基準キャリア上で検出されたとき、残りのキャリア（たとえば、非基準キャリア）上でブラインド検出を試みる。第１の制御チャネルが基準キャリア上で検出されなかったとき、モバイルデバイスがスケジュールされていないと仮定され得る。第１の制御チャネルが検出されたとき、第１の制御チャネルと同様に、いずれかの他の制御チャネルも有効であると考えられる。
【００６９】
図１０に、様々な態様による、バンドリングが採用されるときの有効な制御チャネルを検出するための方法１０００を示す。参照番号１００２において、１つまたは複数のキャリア上でブラインド検出を実行する。参照番号１００４において、１つまたは複数のキャリア上で２つ以上の制御チャネルが検出されたとき、制御チャネルを受け付ける。一態様によれば、妥当性を達成することが検出された２つ以上の制御チャネルのうちの１つは、上記説明したようにダミー制御チャネルとすることができる。
【００７０】
次に図１１を参照すると、様々な態様による、ダミーチャネルの識別を通して制御チャネルのブラインド検出を可能にする方法１１００が示されている。方法１００は、たとえば、ダミー制御チャネルを用いた誤検出低減を実装するように構成されたＵＥによって採用され得る。参照番号１１０２において、複数のコンポーネントキャリア上でブラインド検出を実行する。参照番号１１０４において、ダミー制御チャネルが検出されたかどうかを識別する。ダミー制御チャネルは、ダミー制御チャネルのロケーション、サイズ、および／または内容がセル全体にまたは特定のＵＥのみに知られるように、ＵＥ固有および／またはセル固有とすることができる。一態様では、ブラインド検出は、存在する場合はダミー制御チャネルが位置するであろうロケーションにおいて開始することができる。参照番号１１０６において、ダミー制御チャネルが識別されたとき、ブラインド検出を続ける。さらに、ダミー制御チャネル以外の、検出された制御チャネルが、有効な制御チャネルとして受け付けられ得る。
【００７１】
図１２に、様々な態様による、有効な制御チャネルを検出するための方法１２００を示す。方法１２００は、たとえば、基準キャリアの補足として、ダミー制御チャネルを用いてまたは用いずに、制御チャネルバンドリングを利用するように構成されたＵＥによって実装され得る。参照番号１２０２において、基準キャリア上の制御チャネルのブラインド検出を試みる。参照番号１２０４において、残りの非基準キャリア上でブラインド検出を続ける。参照番号１２０６において、制御チャネルが基準キャリア上で検出されたとき、および／または２つ以上の制御チャネルが非基準キャリア上で検出されたとき、検出された制御チャネルを有効であるとして受け付ける。非基準キャリア上で検出された２つ以上の制御チャネルはすべて実際の制御チャネルとするか、またはダミー制御チャネルを含むことができることを諒解されたい。
【００７２】
図１３を参照すると、様々な態様による、マルチキャリアシステムにおいてブラインド検出を実行するための方法１３００が示されている。参照番号１３０２において、コンポーネントキャリアのセット中に含まれる基準キャリア上で制御チャネルのブラインド検出を実行する。参照番号１３０４において、制御チャネルが基準キャリア上で検出されたかどうかを判断する。制御チャネルが基準キャリア上で検出されなかったとき、方法１３００は参照番号１３０６に進み、ダミー制御チャネルを検出するために、コンポーネントキャリアのセット中の他の非基準キャリア上でブラインド検出を続ける。参照番号１３０８において、ダミー制御チャネルが検出されたかどうかを判断する。１３０８においてはいの場合、または１３０４において制御チャネルが基準キャリア上で検出された場合、方法１３００は参照番号１３１０に進み、残りのキャリア上および／または制御チャネル候補上でブラインド検出を続ける。さらに、参照番号１３１０において、検出された制御を有効であるとして受け付ける。参照番号１３０８において、ダミー制御チャネルが検出されなかった場合、方法１３００は参照番号１３１２に進み、検出された制御チャネルを破棄する。
【００７３】
次に図１４を参照すると、様々な態様による、誤検出を低減するためにＵＥをスケジュールし、ＵＥに制御情報を伝達するための方法１４００の図が示されている。方法１４００は、たとえば、サービスされるＵＥが複数のコンポーネントキャリアを監視するように構成されているとき、誤検出を低減するために基地局によって採用され得る。参照番号１４０２において、１つまたは複数のコンポーネントキャリアのサブフレーム中に、複数のコンポーネントキャリアを監視するように構成されたＵＥをスケジュールする。参照番号１４０４において、スケジューリング情報を含むダウンリンク制御情報を生成する。別の態様では、ダミー制御チャネルをも生成する。参照番号１４０６において、ダウンリンク制御情報および／またはダミー制御チャネルを、１つまたは複数のコンポーネントキャリア上の、サブフレームの１つまたは複数の制御チャネルに組み込む。
【００７４】
ＵＥをスケジュールすること、および／またはダウンリンク制御情報を制御チャネルに組み込むことは、採用される誤検出低減機構に依存し得る。たとえば、基準キャリアベースの手法が採用されたとき、基地局は、少なくとも基準キャリア上にＵＥをスケジュールし、基地局は、基準キャリア上に制御チャネルを組み込むことができる。そうでない場合、ＵＥはスケジュールされない。バンドリング手法の下では、ＵＥは、２つ以上の制御チャネルがサブフレーム中に含まれるように、２つ以上のキャリア上にスケジュールされる。ダミー制御チャネル手法が実装されたとき、ダミー制御チャネルが実際の制御チャネルと協働して生成され、送信される。したがって、ダミー制御チャネルは実際の制御チャネルを検証する。別の例では、手法の組合せが採用され得る。
【００７５】
本明細書で説明する１つまたは複数の態様によれば、基準キャリアとして指定されるべきキャリアを選択すること、誤検出低減モードを選択すること、ブラインド復号を実装すること、検出された制御チャネルを検証することなどに関して、推論を行うことができることを諒解されたい。本明細書で使用する「推論する」または「推論」という用語は、概して、事象および／またはデータを介して捕捉された観察のセットから、システム、環境、および／またはユーザの状態について推理する、またはその状態を推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象および／またはデータのセットからより高いレベルの事象を構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００７６】
次に図１５を参照すると、マルチキャリア構成において制御チャネルの誤検出を低減することを可能にする装置１５００が示されている。装置１５００は機能ブロックを含むものとして表されており、プロセッサ、ソフトウェア、またはそれらの組合せ（たとえば、ファームウェア）によって実装される機能を表す機能ブロックとすることができることを諒解されたい。装置１５００は、ユーザデバイス（たとえば、ＵＥ１２０）および／または任意の他の好適なネットワークエンティティによって実装され得、複数のキャリアのうちの少なくとも１つのキャリア上でブラインド検出を試みるためのモジュール１５０２であって、ブラインド検出が、この少なくとも１つのキャリア上で制御チャネルを検出することを試みる、モジュール１５０２と、検出された制御チャネルの数、制御チャネルが検出されたキャリア、または検出された制御チャネルのタイプのうちの少なくとも１つに基づいて有効な制御チャネルを識別するためのモジュール１５０４と、複数のキャリアから基準キャリアを選択するための随意のモジュール１５０６であって、ブラインド検出がこの基準キャリア上で開始する、随意のモジュール１５０６と、ダミー制御チャネルを検出するための随意のモジュール１５０８とを含むことができる。
【００７７】
図１６を参照すると、マルチキャリア構成において制御チャネルの誤検出を低減することを可能にする装置１６００が示されている。装置１６００は機能ブロックを含むものとして表されており、プロセッサ、ソフトウェア、またはそれらの組合せ（たとえば、ファームウェア）によって実装される機能を表す機能ブロックとすることができることを諒解されたい。装置１６００は、基地局（たとえば、ｅＮＢ１１０）および／または任意の他の好適なネットワークエンティティによって実装され得、複数のキャリアの１つまたは複数のコンポーネントキャリアのサブフレーム上にモバイルデバイスをスケジュールするためのモジュール１６０２と、スケジューリング情報を含むダウンリンク制御情報を生成するためのモジュール１６０４と、ダウンリンク制御情報を１つまたは複数のコンポーネントキャリアのサブフレーム中の１つまたは複数の制御チャネルに組み込むためのモジュール１６０６と、基準キャリア、制御チャネルバンドリング、またはダミー制御チャネルのうちの少なくとも１つを実装するための随意のモジュール１６０８とを含むことができる。さらに、装置１６００は、少なくとも１つの制御チャネルを基準キャリアにマッピングするための随意のモジュール１６１０と、ダウンリンク制御情報を非基準キャリア上の２つ以上の制御チャネルにマッピングするための随意のモジュール１６１２と、ダミー制御チャネルを生成するための随意のモジュール１６１４と、ダミー制御チャネルをサブフレームにマッピングするための随意のモジュール１６１６とを含むことができる。
【００７８】
図１７は、本明細書で説明する機能の様々な態様を実装するために利用され得る別のシステム１７００のブロック図である。一例では、システム１７００はモバイルデバイス１７０２を含む。図示のように、モバイルデバイス１７０２は、１つまたは複数のアンテナ１７０８を介して、１つまたは複数の基地局１７０４から（１つまたは複数の）信号を受信し、１つまたは複数の基地局１７０４にその信号を送信することができる。さらに、モバイルデバイス１７０２は、（１つまたは複数の）アンテナ１７０８から情報を受信する受信機１７１０を備えることができる。一例では、受信機１７１０は、受信した情報を復調する復調器（Ｄｅｍｏｄ）１７１２に動作可能に結合され得る。次いで、復調されたシンボルは、プロセッサ１７１４によって分析され得る。プロセッサ１７１４は、モバイルデバイス１７０２に関するデータおよび／またはプログラムコードを記憶することができるメモリ１７１６に結合され得る。モバイルデバイス１７０２はまた、送信機１７２０によって（１つまたは複数の）アンテナ１７０８を介して送信するために信号を多重化することができる変調器１７１８を含むことができる。
【００７９】
図１８は、本明細書で説明する機能の様々な態様を実装するために利用され得るシステム１８００のブロック図である。一例では、システム１８００は、基地局または基地局１８０２を含む。図示のように、基地局１８０２は、１つまたは複数の受信（Ｒｘ）アンテナ１８０６を介して１つまたは複数のＵＥ１８０４から（１つまたは複数の）信号を受信し、１つまたは複数の送信（Ｔｘ）アンテナ１８０８を介して１つまたは複数のＵＥ１８０４にその信号を送信することができる。さらに、基地局１８０２は、（１つまたは複数の）受信アンテナ１８０６から情報を受信する受信機１８１０を備えることができる。一例では、受信機１８１０は、受信した情報を復調する復調器（Ｄｅｍｏｄ）１８１２に動作可能に結合され得る。次いで、復調されたシンボルは、プロセッサ１８１４によって分析され得る。プロセッサ１８１４は、コードクラスタ、アクセス端末割当て、それに関するルックアップテーブル、固有のスクランブル系列に関する情報、および／または他の好適なタイプの情報を記憶することができるメモリ１８１６に結合され得る。基地局１８０２はまた、送信機１８２０によって（１つまたは複数の）送信アンテナ１８０８を介して送信するために信号を多重化することができる変調器１８１８を含むことができる。
【００８０】
次に図１９を参照すると、本明細書で提示する様々な実施形態によるワイヤレス通信システム１９００が示されている。システム１９００は、複数のアンテナグループを含むことができる基地局（たとえば、アクセスポイント）１９０２を備える。たとえば、１つのアンテナグループはアンテナ１９０４および１９０６を含み、別のグループはアンテナ１９０８および１９１０を備え、さらなるグループはアンテナ１９１２および１９１４を含むことができる。アンテナグループごとに２つのアンテナが示されているが、グループごとにより多いまたはより少ないアンテナを利用することができる。基地局１９０２は、さらに、送信機チェーンおよび受信機チェーンを含むことができ、送信機チェーンおよび受信機チェーンの各々は、当業者なら諒解するように、信号送信および受信に関連する複数の構成要素（たとえば、プロセッサ、変調器、マルチプレクサ、復調器、デマルチプレクサ、アンテナなど）を備えることができる。
【００８１】
基地局１９０２は、ＵＥ１９１６およびＵＥ１９２２などの１つまたは複数のＵＥと通信することができるが、基地局１９０２は、ＵＥ１９１６および１９２２と同様の実質的にいかなる数のＵＥとも通信することができることを諒解されたい。ＵＥ１９１６および１９２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１９００を介して通信するための他の何らかの適切なデバイスとすることができる。図示のように、ＵＥ１９１６は、アンテナ１９１２および１９１４と通信中であり、アンテナ１９１２および１９１４は、ダウンリンク１９１８上でＵＥ１９１６に情報を送信し、アップリンク１９２０上でＵＥ１９１６から情報を受信する。さらに、ＵＥ１９２２は、アンテナ１９０４および１９０６と通信中であり、アンテナ１９０４および１９０６は、ダウンリンク１９２４上でＵＥ１９２２に情報を送信し、アップリンク１９２６上でＵＥ１９２２から情報を受信する。周波数分割複信（ＦＤＤ）システムでは、たとえば、ダウンリンク１９１８は、アップリンク１９２０によって使用される周波数帯とは異なる周波数帯を利用し、ダウンリンク１９２４は、アップリンク１９２６によって採用される周波数帯とは異なる周波数帯を採用することができる。さらに、時分割複信（ＴＤＤ）システムでは、ダウンリンク１９１８およびアップリンク１９２０は共通の周波数帯を利用し、ダウンリンク１９２４およびアップリンク１９２６は共通の周波数帯を利用することができる。
【００８２】
アンテナの各グループおよび／またはそれらが通信するように指定されたエリアは、基地局１９０２のセクタと呼ばれることがある。たとえば、アンテナグループは、基地局１９０２によってカバーされるエリアのセクタ内のＵＥと通信するように設計され得る。ダウンリンク１９１８および１９２４を介した通信では、基地局１９０２の送信アンテナは、ＵＥ１９１６および１９２２についてのダウンリンク１９１８および１９２４の信号対雑音比を向上させるためにビームフォーミングを利用することができる。また、基地局１９０２は、ビームフォーミングを利用して、関連するカバレージにわたってランダムに散在するＵＥ１９１６および１９２２に送信するが、基地局が単一のアンテナを介してその基地局のすべてのＵＥに送信する場合と比較して、隣接セル中のアクセス端末は干渉を受けにくい。さらに、ＵＥ１９１６および１９２２は、ピアツーピアまたはアドホック技術を使用して互いに直接通信することができる（図示せず）。
【００８３】
一例によれば、システム１９００は多入力多出力（ＭＩＭＯ）通信システムとすることができる。さらに、システム１９００は、ＦＤＤ、ＦＤＭ、ＴＤＤ、ＴＤＭ、ＣＤＭなど、通信チャネル（たとえば、ダウンリンク、アップリンク、．．．）を分割する実質的にどんなタイプの複信技法でも利用することができる。さらに、チャネル上での複数のデバイスまたはＵＥとの同時通信を可能にするために通信チャネルを直交させることができ、一例では、この点についてＯＦＤＭを利用することができる。したがって、チャネルは、ある時間期間にわたる周波数の部分に分割され得る。さらに、フレームは、時間期間の集合にわたる周波数の部分として定義され、したがって、たとえば、フレームはいくつかのＯＦＤＭシンボルを備えることができる。基地局１９０２は、様々なタイプのデータに対して作成され得るチャネルを介してＵＥ１９１６および１９２２に通信することができる。たとえば、チャネルは、様々なタイプの一般的通信データ、制御データ（たとえば、他のチャネルの品質情報、チャネルを介して受信されたデータに対する肯定応答インジケータ、干渉情報、基準信号など）などを通信するために作成され得る。
【００８４】
ワイヤレス多元接続通信システムは、複数のワイヤレスアクセス端末のための通信を同時にサポートし得る。上述のように、各端末は、順方向リンクおよび逆方向リンク上での送信を介して１つまたは複数の基地局と通信することができ得る。順方向リンク（またはダウンリンク）とは、基地局から端末への通信リンクを指し、逆方向リンク（またはアップリンク）とは、端末から基地局への通信リンクを指す。この通信リンクは、単入力単出力システム、多入力多出力（「ＭＩＭＯ」）システム、または何らかの他のタイプのシステムを介して確立され得る。
【００８５】
ＭＩＭＯシステムは、データ送信用の複数（ＮT）個の送信アンテナおよび複数（ＮR）個の受信アンテナを使用する。ＮT個の送信アンテナとＮR個の受信アンテナとよって形成されるＭＩＭＯチャネルは、空間チャネルと呼ばれることもあるＮS個の独立チャネルに分解され得、ＮS≦ｍｉｎ｛ＮT，ＮR｝である。ＮS個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００８６】
ＭＩＭＯシステムは時分割複信（「ＴＤＤ」）および周波数分割複信（「ＦＤＤ」）をサポートし得る。ＴＤＤシステムでは、順方向および逆方向リンク伝送が同一周波数領域上で行われるので、相反定理による逆方向リンクチャネルからの順方向リンクチャネルの推定が可能である。これにより、複数のアンテナがアクセスポイントで利用可能なとき、アクセスポイントは順方向リンク上で送信ビームフォーミング利得を抽出することが可能になる。
【００８７】
図２０に、例示的なワイヤレス通信システム２０００を示す。ワイヤレス通信システム２０００には、簡潔のために、１つの基地局２０１０と、１つのアクセス端末２０５０とを示してある。ただし、システム２０００は２つ以上の基地局および／または２つ以上のアクセス端末を含むことができ、追加の基地局および／またはアクセス端末は、以下で説明する例示的な基地局２０１０およびアクセス端末２０５０と実質的に同様または異なるものとすることができることを諒解されたい。さらに、基地局２０１０および／またはアクセス端末２０５０は、それらの間のワイヤレス通信を可能にするために、本明細書で説明するシステム（図１、図６、図７、および図１５〜図１６）および／または方法（図８〜図１４）を採用することができることを諒解されたい。
【００８８】
基地局２０１０において、いくつかのデータストリームのトラフィックデータがデータソース２０１２から送信（ＴＸ）データプロセッサ２０１４に供給される。一例によれば、各データストリームは、それぞれのアンテナを介して送信され得る。ＴＸデータプロセッサ２０１４は、トラフィックデータストリーム用に選択された特定の符号化方式に基づいて、そのデータストリームをフォーマット化し、符号化し、インターリーブして、符号化データを供給する。
【００８９】
各データストリームの符号化データは、直交周波数分割多重（ＯＦＤＭ）技法を使用してパイロットデータと多重化され得る。追加または代替として、パイロットシンボルは、周波数分割多重（ＦＤＭ）、時分割多重（ＴＤＭ）、または符号分割多重（ＣＤＭ）とすることができる。パイロットデータは、一般に、知られている方法で処理される知られているデータパターンであり、チャネル応答を推定するためにアクセス端末２０５０において使用され得る。各データストリームの多重化されたパイロットおよび符号化データは、そのデータストリーム用に選択された特定の変調方式（たとえば、２値位相シフトキーイング（ＢＰＳＫ）、４位相シフトキーイング（ＱＰＳＫ）、Ｍ位相シフトキーイング（Ｍ−ＰＳＫ）、多値直交振幅変調（Ｍ−ＱＡＭ）など）に基づいて変調（たとえば、シンボルマッピング）して、変調シンボルを与えることができる。各データストリームのデータレート、符号化、および変調は、プロセッサ２０３０によって実行または与えられる命令によって判断され得る。
【００９０】
データストリームの変調シンボルはＴＸ  ＭＩＭＯプロセッサ２０２０に供給され、ＴＸ  ＭＩＭＯプロセッサ２０２０は、（たとえば、ＯＦＤＭ用に）変調シンボルをさらに処理することができる。次いで、ＴＸ  ＭＩＭＯプロセッサ２０２０は、ＮT個の変調シンボルストリームをＮT個の送信機（ＴＭＴＲ）２０２２ａ〜２０２２ｔに供給する。様々な実施形態では、ＴＸ  ＭＩＭＯプロセッサ２０２０は、データストリームのシンボルと、シンボルの送信元のアンテナとにビームフォーミング重みを適用する。
【００９１】
各送信機２０２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機２０２２ａ〜２０２２ｔからのＮT個の変調信号は、それぞれＮT個のアンテナ２０２４ａ〜２０２４ｔから送信される。
【００９２】
アクセス端末２０５０では、送信された変調信号はＮR個のアンテナ２０５２ａ〜２０５２ｒによって受信され、各アンテナ２０５２から受信された信号は、それぞれの受信機（ＲＣＶＲ）２０５４ａ〜２０５４ｒに供給される。各受信機２０５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【００９３】
ＲＸデータプロセッサ２０６０は、特定の受信機処理技法に基づいてR個の受信機２０５４からＮR個の受信シンボルストリームを受信し、処理して、ＮT個の「検出」シンボルストリームを与えることができる。ＲＸデータプロセッサ２０６０は、各検出シンボルストリームを復調し、デインタリーブし、復号して、データストリームのトラフィックデータを復元することができる。ＲＸデータプロセッサ２０６０による処理は、基地局２０１０においてＴＸ  ＭＩＭＯプロセッサ２０２０およびＴＸデータプロセッサ２０１４によって実行される処理を補足するものである。
【００９４】
プロセッサ２０７０は、上述のように、どの利用可能な技術を利用すべきかを周期的に判断することができる。さらに、プロセッサ２０７０は、行列インデックス部分とランク値部分とを備える逆方向リンクメッセージを作成することができる。
【００９５】
逆方向リンクメッセージは、通信リンクおよび／または受信データストリームに関する様々なタイプの情報を備えることができる。逆方向リンクメッセージは、データソース２０３６からいくつかのデータストリームのトラフィックデータをも受信するＴＸデータプロセッサ２０３８によって処理され、変調器２０８０によって変調され、送信機２０５４ａ〜２０５４ｒによって調整され、基地局２０１０に戻される。
【００９６】
基地局２０１０において、アクセス端末２０５０からの変調信号は、アンテナ２０２４によって受信され、受信機２０２２によって調整され、復調器２０４０によって復調され、ＲＸデータプロセッサ２０４２によって処理されて、アクセス端末２０５０によって送信された逆方向リンクメッセージが抽出される。さらに、プロセッサ２０３０は、抽出されたメッセージを処理して、ビームフォーミング重みを判断するためにどのプリコーディング行列を使用すべきかを判断することができる。
【００９７】
プロセッサ２０３０および２０７０は、それぞれ基地局２０１０およびアクセス端末２０５０における動作を指示（たとえば、制御、調整、管理など）することができる。それぞれのプロセッサ２０３０および２０７０は、プログラムコードおよびデータを記憶するメモリ２０３２および２０７２に関連付けられ得る。プロセッサ２０３０および２０７０はまた、それぞれ、アップリンクとダウンリンクとに関して周波数推定値とインパルス応答推定値とを導き出すために計算を実行することができる。
【００９８】
一態様では、論理チャネルは、制御チャネルとトラフィックチャネルとに分類される。論理制御チャネルは、システム制御情報をブロードキャストするためのＤＬチャネルであるブロードキャスト制御チャネル（ＢＣＣＨ）を含むことができる。さらに、論理制御チャネルは、ページング情報を転送するＤＬチャネルであるページング制御チャネル（ＰＣＣＨ）を含むことができる。その上、論理制御チャネルはマルチキャスト制御チャネル（ＭＣＣＨ）を備えることができ、マルチキャスト制御チャネルは、１つまたは複数のＭＴＣＨについてのマルチメディアブロードキャストおよびマルチキャストサービス（ＭＢＭＳ）のスケジューリングおよび制御情報を送信するために使用されるポイントツーマルチポイントＤＬチャネルである。概して、無線リソース制御（ＲＲＣ）接続を確立した後、このチャネルは、ＭＢＭＳ（たとえば、古いＭＣＣＨ＋ＭＳＣＨ）を受信するＵＥによって使用されるだけである。さらに、論理制御チャネルは専用制御チャネル（ＤＣＣＨ）を含むことができ、専用制御チャネルは、専用制御情報を送信するポイントツーポイント双方向チャネルであり、ＲＲＣ接続を有するＵＥによって使用され得る。一態様では、論理トラフィックチャネルは、ユーザ情報を転送するための１つのＵＥに専用のポイントツーポイント双方向チャネルである専用トラフィックチャネル（ＤＴＣＨ）を備えることができる。また、論理トラフィックチャネルは、トラフィックデータを送信するためのポイントツーマルチポイントＤＬチャネルであるマルチキャストトラフィックチャネル（ＭＴＣＨ）を含むことができる。
【００９９】
一態様では、トランスポートチャネルは、ＤＬとＵＬとに分類される。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備える。ＰＣＨは、セル全体にわたってブロードキャストされることと、他の制御／トラフィックチャネルのために使用することができる物理レイヤ（ＰＨＹ）リソースにマッピングされることとによって、ＵＥ節電（たとえば、ネットワークが不連続受信（ＤＲＸ）サイクルをＵＥに示すことがある、．．．）をサポートすることができる。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備えることができる。
【０１００】
ＰＨＹチャネルは、ＤＬチャネルとＵＬチャネルとのセットを含むことができる。たとえば、ＤＬ  ＰＨＹチャネルは、共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、および／または負荷インジケータチャネル（ＬＩＣＨ）を含むことができる。さらなる例として、ＵＬ  ＰＨＹチャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、および／またはブロードバンドパイロットチャネル（ＢＰＩＣＨ）を含むことができる。
【０１０１】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行され得る。汎用プロセッサはマイクロプロセッサとすることができるが、代替として、プロセッサは任意の従来のプロセッサ、コントローラ、マイクロコントローラ、または状態機械とすることができる。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上述のステップおよび／またはアクションの１つまたは複数を実行するように動作可能な１つまたは複数のモジュールを備えることができる。
【０１０２】
さらに、本明細書で開示された態様に関して説明した方法またはアルゴリズムのステップおよび／またはアクションは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。さらに、いくつかの態様では、方法またはアルゴリズムのステップおよび／またはアクションは、コンピュータプログラム製品に組み込まれ得る、機械可読媒体および／またはコンピュータ可読媒体上のコードおよび／または命令の１つまたは任意の組合せ、あるいはそのセットとして常駐し得る。
【０１０３】
実施形態は、ソフトウェア、ファームウェア、ミドルウェアまたはマイクロコード、プログラムコードまたはコードセグメントで実装した場合、記憶構成要素などの機械可読媒体に記憶され得る。コードセグメントは、プロシージャ、関数、サブプログラム、プログラム、ルーチン、サブルーチン、モジュール、ソフトウェアパッケージ、クラス、または命令、データ構造もしくはプログラムステートメントの任意の組合せを表すことができる。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む、適切な手段を使用してパス、フォワーディング、または送信され得る。
【０１０４】
ソフトウェア実装の場合、本明細書で説明する技法は、本明細書で説明する機能を実行するモジュール（たとえば、プロシージャ、関数など）を用いて実装され得る。ソフトウェアコードは、メモリユニットに記憶され、プロセッサによって実行され得る。メモリユニットは、プロセッサの内部またはプロセッサの外部に実装でき、その場合、当技術分野で知られているように様々な手段によってプロセッサに通信可能に結合され得る。
【０１０５】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
【図１】
2015111866.tif 000003
【図２】
2015111866.tif 000004
【図３】
2015111866.tif 000005
【図４】
2015111866.tif 000006
【図５】
2015111866.tif 000007
【図６】
2015111866.tif 000008
【図７】
2015111866.tif 000009
【図８】
2015111866.tif 000010
【図９】
2015111866.tif 000011
【図１０】
2015111866.tif 000012
【図１１】
2015111866.tif 000013
【図１２】
2015111866.tif 000014
【図１３】
2015111866.tif 000015
【図１４】
2015111866.tif 000016
【図１５】
2015111866.tif 000017
【図１６】
2015111866.tif 000018
【図１７】
2015111866.tif 000019
【図１８】
2015111866.tif 000020
【図１９】
2015111866.tif 000021
【図２０】
2015111866.tif 000022
【手続補正書】
【提出日】平成27年2月9日(2015.2.9)
【手続補正１】
【補正対象書類名】特許請求の範囲
【補正対象項目名】全文
【補正方法】変更
【補正の内容】
【特許請求の範囲】
【請求項１】
複数のコンポーネントキャリアのうちの少なくとも１つのコンポーネントキャリア上でブラインド検出を実行することであって、ブラインド検出が、前記少なくとも１つのコンポーネントキャリア上の制御チャネルを検出しようと試みる、実行することと、
制御チャネル検出の数と、それぞれ各制御チャネル検出に関連するコンポーネントキャリア識別情報とを識別することと、
制御チャネル検出の前記数または前記コンポーネントキャリア識別情報のうちの少なくとも１つに基づいて、検出された制御チャネルを受け付けるべきかどうかを判断することと
を備える、方法。
【手続補正２】
【補正対象書類名】明細書
【補正対象項目名】０１０５
【補正方法】変更
【補正の内容】
【０１０５】
以上の説明は、１つまたは複数の実施形態の例を含む。もちろん、上述の実施形態について説明する目的で、構成要素または方法のあらゆる考えられる組合せについて説明することは不可能であるが、当業者なら、様々な実施形態の多数のさらなる組合せおよび置換が可能であることを認識できよう。したがって、説明した実施形態は、添付の特許請求の範囲の趣旨および範囲内に入るすべてのそのような改変形態、変更形態および変形形態を包含するものとする。さらに、「含む（include）」という用語は、発明を実施するための形態または特許請求の範囲のいずれかにおいて使用される限り、「備える（comprising）」という用語を採用すると請求項における移行語と解釈されるように「備える（comprising）」と同様に包括的なものとする。さらに、発明を実施するための形態または特許請求の範囲のいずれかで使用される「または（or）」という用語は、「非排他的なまたは（non-exclusive or）」を意味するものとする。
以下に、本願出願の当初の特許請求の範囲に記載された発明を付記する。
［１］複数のコンポーネントキャリアのうちの少なくとも１つのコンポーネントキャリア上でブラインド検出を実行することであって、ブラインド検出が、前記少なくとも１つのコンポーネントキャリア上の制御チャネルを検出しようと試みる、実行することと、
制御チャネル検出の数と、それぞれ各制御チャネル検出に関連するコンポーネントキャリア識別情報とを識別することと、
制御チャネル検出の前記数または前記コンポーネントキャリア識別情報のうちの少なくとも１つに基づいて、検出された制御チャネルを受け付けるべきかどうかを判断することと
を備える、方法。
［２］前記複数のコンポーネントキャリアのうちのコンポーネントキャリアを基準キャリアに指定することと、
制御チャネル検出に関連する前記コンポーネントキャリア識別情報が前記基準キャリアを示すとき、検出された制御チャネルを受け付けることと
をさらに備える、［１］に記載の方法。
［３］前記基準キャリアが構成メッセージ中で指定される、［２］に記載の方法。
［４］前記基準キャリアが、ユーザ機器（ＵＥ）識別子、セル識別子、サブフレーム番号、システムフレーム番号、またはハイブリッドＡＲＱプロセス番号のうちの少なくとも１つに基づいて動的に選択される、［２］に記載の方法。
［５］前記複数のコンポーネントキャリア中の各コンポーネントキャリアが循環して前記基準キャリアになり、各コンポーネントキャリアが所定の数のサブフレーム後に前記基準キャリアとして機能する、［２］に記載の方法。
［６］制御チャネル検出の前記数が２つ以上の検出を示し、それぞれのコンポーネントキャリア識別情報が非基準キャリアを示すとき、検出された制御チャネルを検証すること
をさらに備える、［２］に記載の方法。
［７］前記２つ以上の検出のうちの１つがダミー制御チャネルである、［６］に記載の方法。
［８］前記基準キャリア上でブラインド検出を実行することと、
制御チャネルが前記基準キャリア上で発見されないとき、ダミー制御チャネルを探索することと、
前記ダミー制御チャネルが検出されたとき、非基準キャリア上でブラインド検出を続けることと
をさらに備える、［２］に記載の方法。
［９］制御チャネル検出の前記数が２つ以上の検出を示すとき、検出された制御チャネルを受け付けること
をさらに備える、［１］に記載の方法。
［１０］前記２つ以上の検出のうちの１つがダミー制御チャネルである、［９］に記載の方法。
［１１］前記複数のコンポーネントキャリア上のダミー制御チャネルを探索することと、
前記ダミー制御チャネルが発見されたとき、制御チャネル検出を受け付けることと
をさらに備える、［１］に記載の方法。
［１２］前記ダミー制御チャネルは、ＵＥがスケジュールされているコンポーネントキャリアの数を指定するパラメータを含む、［１１］に記載の方法。
［１３］前記ダミー制御チャネルは、複数のＵＥのうちの各ＵＥについて、前記ＵＥがスケジュールされているかどうかを示すビットマップを含む、［１１］に記載の方法。
［１４］複数のキャリア上でブラインド検出を実行することであって、ブラインド検出が、前記複数のキャリア上の少なくとも１つの制御チャネルを検出するために複数の候補制御チャネルを復号しようと試みる、実行することと、
制御チャネルが基準キャリア上で検出されるか、２つ以上の制御チャネルが非基準キャリア上で検出されるか、またはダミー制御チャネルが非ダミー制御チャネルとともに検出されるかのうちの少なくとも１つのとき、検出された制御チャネルを受け付けることと  を行うように構成された少なくとも１つのプロセッサ
を備える、ワイヤレス通信装置。
［１５］前記少なくとも１つのプロセッサが、
前記複数のキャリアの中から前記基準キャリアを指定することと、
前記基準キャリアからブラインド検出を開始することと
を行うようにさらに構成された、［１４］に記載のワイヤレス通信装置。
［１６］前記少なくとも１つのプロセッサが、前記複数のキャリア上の前記ダミー制御チャネルを探索するようにさらに構成された、［１４］に記載のワイヤレス通信装置。
［１７］前記少なくとも１つのプロセッサは、前記ワイヤレス通信装置がサブフレーム上にスケジュールされているかどうかを判断するために前記ダミー制御チャネルを評価するようにさらに構成された、［１６］に記載のワイヤレス通信装置。
［１８］複数のキャリアのうちの少なくとも１つのキャリア上でブラインド検出を試みるための手段であって、ブラインド検出が、前記少なくとも１つのキャリア上の制御チャネルを検出しようと試みる、試みるための手段と、
検出された制御チャネルの数、制御チャネルが検出されたキャリア、または検出された制御チャネルのタイプのうちの少なくとも１つに基づいて有効な制御チャネルを識別するための手段と
を備える、装置。
［１９］前記複数のキャリアから基準キャリアを選択するための手段であって、ブラインド検出が前記基準キャリア上で開始する、選択するための手段をさらに備える、［１８］に記載の装置。
［２０］少なくとも１つの制御チャネルが前記基準キャリア上で検出されたとき、有効な制御チャネルを識別するための前記手段が、検出された制御チャネルを受け付ける、［１９］に記載の装置。
［２１］ダミー制御チャネルを検出するための手段であって、前記ダミー制御チャネルの検出が他の制御チャネル検出を検証する、検出するための手段
をさらに備える、［１８］に記載の装置。
［２２］有効な制御チャネルを識別するための前記手段は、２つ以上の制御チャネルが検出されたとき、検出された制御チャネルを受け付ける、［１８］に記載の装置。
［２３］前記２つ以上の制御チャネルが非基準キャリアに関連する、［２２］に記載の装置。
［２４］前記２つ以上の制御チャネルのうちの１つがダミー制御チャネルである、［２２］に記載の装置。
［２５］少なくとも１つのコンピュータに、複数のキャリア上でブラインド検出を実装させるためのコードであって、ブラインド検出が、前記複数のキャリア上の少なくとも１つの制御チャネルを検出するために複数の候補制御チャネルを復号しようと試みる、実装させるためのコードと、
前記少なくとも１つのコンピュータに、制御チャネルが基準キャリア上で検出されるか、２つ以上の制御チャネルが非基準キャリア上で検出されるか、またはダミー制御チャネルが非ダミー制御チャネルとともに検出されるかのうちの少なくとも１つのとき、検出された制御チャネルを検証させるためのコードと
を備える、コンピュータ可読媒体
を備える、コンピュータプログラム製品。
［２６］前記コンピュータ可読媒体が、
前記少なくとも１つのコンピュータに、前記複数のキャリアの中から前記基準キャリアを選択させるためのコードと、
前記少なくとも１つのコンピュータに、前記基準キャリアからブラインド検出を開始させるためのコードと
をさらに備える、［２５］に記載のコンピュータプログラム製品。
［２７］前記コンピュータ可読媒体が、前記少なくとも１つのコンピュータに、前記複数のキャリア上の前記ダミー制御チャネルを探索させるためのコードをさらに備える、［２５］に記載のコンピュータプログラム製品。
［２８］前記コンピュータ可読媒体が、前記少なくとも１つのコンピュータに、モバイルデバイスがサブフレーム上にスケジュールされているかどうかを判断するために前記ダミー制御チャネルを評価させるためのコードをさらに備える、［２７］に記載のコンピュータプログラム製品。
［２９］１つまたは複数のコンポーネントキャリア上の制御チャネルのブラインド検出を実行する検出モジュールと、
前記１つまたは複数のコンポーネントキャリア上の検出された制御チャネルが有効な制御チャネルであるかどうかを判断する妥当性評価モジュールと
を備える、装置。
［３０］前記１つまたは複数のコンポーネントキャリアから基準キャリアを選択するキャリア構成モジュール
をさらに備える、［２９］に記載の装置。
［３１］前記妥当性評価モジュールは、少なくとも１つの制御チャネルが前記基準キャリア上にあるとき、前記検出された制御チャネルを検証する、［３０］に記載の装置。
［３２］前記妥当性評価モジュールは、２つ以上の制御チャネルが検出されたとき、前記検出された制御チャネルを検証する、［２９］に記載の装置。
［３３］前記２つ以上の制御チャネルが非基準キャリアに関連する、［３２］に記載の装置。
［３４］前記検出モジュールが、ダミー制御チャネルを検出するように構成された、［２９］に記載の装置。
［３５］前記妥当性評価モジュールは、前記ダミー制御チャネルと組み合わせて検出されたとき、制御チャネルを検証する、［３４］に記載の装置。
［３６］複数のキャリアのうちの１つまたは複数のコンポーネントキャリアのサブフレーム上にモバイルデバイスをスケジュールすることと、
スケジューリング情報を含むダウンリンク制御情報を生成することと、
前記ダウンリンク制御情報を前記１つまたは複数のコンポーネントキャリアの前記サブフレーム中の１つまたは複数の制御チャネルに組み込むことであって、前記ダウンリンク制御情報を組み込むことが、基準キャリア、制御チャネルバンドリング、またはダミー制御チャネルのうちの少なくとも１つを実装することを備える、組み込むことと
を備える、方法。
［３７］前記複数のキャリアから前記基準キャリアを指定する構成メッセージを送信することをさらに備える、［３６］に記載の方法。
［３８］前記ダウンリンク制御情報を組み込むことが、少なくとも１つの制御チャネルを前記基準キャリアにマッピングすることを備える、［３６］に記載の方法。
［３９］前記ダウンリンク制御情報を組み込むことが、前記ダウンリンク制御情報を非基準キャリア上の２つ以上の制御チャネルに組み込むことを備える、［３６］に記載の方法。
［４０］前記ダミー制御チャネルを生成することと、
前記ダミー制御チャネルを前記サブフレームに組み込むことと
をさらに備える、［３６］に記載の方法。
［４１］前記ダミー制御チャネルは、前記モバイルデバイスがスケジュールされているコンポーネントキャリアの数を指定するパラメータを含む、［３６］に記載の方法。
［４２］前記ダミー制御チャネルは、複数のＵＥのうちの各ＵＥについて、前記ＵＥがスケジュールされているかどうかを示すビットマップを含む、［３６］に記載の方法。
［４３］複数のキャリアのうちの１つまたは複数のコンポーネントキャリアのサブフレーム上にモバイルデバイスをスケジュールすることと、
スケジューリング情報を含むダウンリンク制御情報を生成することと、
基準キャリア、制御チャネルバンドリング、またはダミー制御チャネルのうちの少なくとも１つの実装を通して、前記ダウンリンク制御情報を前記１つまたは複数のコンポーネントキャリアの前記サブフレーム中の１つまたは複数の制御チャネルにマッピングすることと
を行うように構成された少なくとも１つのプロセッサ
を備える、ワイヤレス通信装置。
［４４］前記少なくとも１つのプロセッサが、前記複数のキャリアから前記基準キャリアを指定する構成メッセージを送るようにさらに構成された、［４３］に記載のワイヤレス通信装置。
［４５］前記少なくとも１つのプロセッサが、前記ダウンリンク制御情報を前記基準キャリア上の制御チャネルに組み込むようにさらに構成された、［４３］に記載のワイヤレス通信装置。
［４６］前記少なくとも１つのプロセッサが、前記ダウンリンク制御情報を非基準キャリア上の２つ以上の制御チャネルに組み込むようにさらに構成された、［４３］に記載のワイヤレス通信装置。
［４７］前記少なくとも１つのプロセッサが、
前記ダミー制御チャネルを生成することと、
前記１つまたは複数の制御チャネルに加えて前記ダミー制御チャネルを前記サブフレームに組み込むことと
を行うようにさらに構成された、［４３］に記載のワイヤレス通信装置。
［４８］複数のキャリアのうちの１つまたは複数のコンポーネントキャリアのサブフレーム上にモバイルデバイスをスケジュールするための手段と、
スケジューリング情報を含むダウンリンク制御情報を生成するための手段と、
前記ダウンリンク制御情報を前記１つまたは複数のコンポーネントキャリアの前記サブフレーム中の１つまたは複数の制御チャネルに組み込むための手段であって、ダウンリンク制御情報を組み込むための手段が、基準キャリア、制御チャネルバンドリング、またはダミー制御チャネルのうちの少なくとも１つを実装するための手段を備える、組み込むための手段と
を備える、装置。
［４９］前記ダウンリンク制御情報を組み込むための前記手段が、少なくとも１つの制御チャネルを前記基準キャリアにマッピングするための手段を備える、［４８］に記載の装置。
［５０］前記ダウンリンク制御情報を組み込むための前記手段が、前記ダウンリンク制御情報を非基準キャリア上の２つ以上の制御チャネルにマッピングするための手段を備える、［４８］に記載の装置。
［５１］前記ダミー制御チャネルを生成するための手段と、
前記ダミー制御チャネルを前記サブフレームにマッピングするための手段と
をさらに備える、［４８］に記載の装置。
［５２］少なくとも１つのコンピュータに、複数のキャリアのうちの１つまたは複数のコンポーネントキャリアのサブフレーム上にモバイルデバイスをスケジュールさせるためのコードと、
前記少なくとも１つのコンピュータに、スケジューリング情報を含むダウンリンク制御情報を生成させるためのコードと、
前記少なくとも１つのコンピュータに、基準キャリア、制御チャネルバンドリング、またはダミー制御チャネルのうちの少なくとも１つの実装を通して、前記ダウンリンク制御情報を前記１つまたは複数のコンポーネントキャリアの前記サブフレーム中の１つまたは複数の制御チャネルにマッピングさせるためのコードと
を備える、コンピュータ可読媒体
を備える、コンピュータプログラム製品。
［５３］前記コンピュータ可読媒体が、前記少なくとも１つのコンピュータに、前記ダウンリンク制御情報を前記基準キャリア上の制御チャネルに組み込ませるためのコードをさらに備える、［５２］に記載のコンピュータプログラム製品。
［５４］前記コンピュータ可読媒体が、前記少なくとも１つのコンピュータに、前記ダウンリンク制御情報を非基準キャリア上の２つ以上制御チャネルに組み込ませるためのコードをさらに備える、［５２］に記載のコンピュータプログラム製品。
［５５］前記コンピュータ可読媒体が、
前記少なくとも１つのコンピュータに、前記ダミー制御チャネルを生成させるためのコードと、
前記少なくとも１つのコンピュータに、前記１つまたは複数の制御チャネルに加えて前記ダミー制御チャネルを前記サブフレームに組み込ませるためのコードと
をさらに備える、［５２］に記載のコンピュータプログラム製品。
［５６］スケジューリング情報をダウンリンク制御情報フォーマットに統合する制御チャネルモジュールと、
第１のダウンリンク制御情報パケットを基準キャリアにマッピングする基準キャリアモジュールと、
ダミー制御チャネルを与えるダミー生成モジュールと、
２つ以上の制御チャネルを非基準キャリア上にグループ化するバンドリングモジュールと
を備える、装置。
［５７］複数のキャリアのうちの１つまたは複数のコンポーネントキャリアのサブフレーム上にモバイルデバイスをスケジュールするスケジューラをさらに備える、［５６］に記載の装置。
［５８］モバイルデバイスによって監視される構成要素キャリアをアクティブにするか、または非アクティブにするかのうちの少なくとも１つを行うキャリア構成モジュールをさらに備える、［５６］に記載の装置。
［５９］誤検出低減モードを選択するシグナリング構成モジュールをさらに備え、前記制御チャネル構成モジュールが、誤検出低減モードに基づいて前記基準キャリアモジュール、前記ダミー生成モジュール、または前記バンドリングモジュールのうちの少なくとも１つを採用する、［５６］に記載の装置。
【外国語明細書】
2015111866000001.pdf